(57)【特許請求の範囲】
【請求項１】
高温再生器（２０２）と、中温再生器（２０４）と、低温再生器（２０６）と、吸収器（２０８）と、凝縮器（２１０）と、蒸発器（２１２）とを有し、吸収器（２０８）から出た吸収溶液が、高温再生器（２０２）、中温再生器（２０４）、低温再生器（２０６）の順に流過する様に構成され、高温再生器（２０２）には加熱用蒸気ライン（２１４、２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から中温再生器（２０４）に向う吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ライン（１０６）を流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ライン（１０８）を流れる吸収溶液が保有する熱量を高温再生器（２０２）に向う吸収溶液に投入する様に構成され、
前記加熱用蒸気ライン（２１４、２１４Ａ）の高温再生器（２０２）を経由した領域（２１４Ａ）は第１〜第７の蒸気ドレン熱交換器（２２０、２２２、２２４、２２６、２２８、２３０、２３２）に連通しており、
第１の蒸気ドレン熱交換器（２２０）は、高温再生器（２０２）に向う吸収溶液ラインの高温溶液熱交換器（３０４）と高温再生器（２０２）の間の領域（２５２）に介装され、
第２の蒸気ドレン熱交換器（２２２）は、高温再生器（２０２）に向う吸収溶液ラインの中温溶液熱交換器（３０２）と高温溶液熱交換器（３０４）の間における第１の分岐点（２４６Ｂ）で分岐する第１の分岐ライン（２５０）に介装されており、該第１の分岐ライン（２５０）は高温溶液熱交換器（３０４）をバイパスし且つ高温溶液熱交換器（３０４）と第１の蒸気ドレン熱交換器（２２０）の間の第１の合流点（２４６Ｇ）で高温再生器（２０２）に向う吸収溶液ラインと合流し、
第３の蒸気ドレン熱交換器（２２４）は、高温再生器（２０２）に向う吸収溶液ラインの中温溶液熱交換器（３０２）と第１の分岐点（２４６Ｂ）との間の領域（２４６）に介装され、
第４の蒸気ドレン熱交換器（２２６）は、高温再生器（２０２）に向う吸収溶液ラインの低温溶液熱交換器（３００）と中温溶液熱交換器（３０２）の間における第２の分岐点（２４０Ｂ）で分岐する第２の分岐ライン（２４４）に介装されており、該第２の分岐ライン（２４４）は中温溶液熱交換器（３０２）をバイパスし且つ中温溶液熱交換器（３０２）と第３の蒸気ドレン熱交換器（２２４）の間の第２の合流点（２４２Ｇ）で高温再生器（２０２）に向う吸収溶液ラインと合流し、
第５の蒸気ドレン熱交換器（２２８）は、高温再生器（２０２）に向う吸収溶液ラインの低温溶液熱交換器（３００）と第２の分岐点（２４０Ｂ）との間の領域（２４０）に介装され、
第６の蒸気ドレン熱交換器（２３０）は、高温再生器（２０２）に向う吸収溶液ラインの吸収溶液ポンプ（１０２）と低温溶液熱交換器（３００）の間における第３の分岐点（２３４Ｂ）で分岐する第３の分岐ライン（２３８）に介装されており、該第３の分岐ライン（２３８）は低温溶液熱交換器（３００）をバイパスし且つ低温溶液熱交換器（３００）と第５の蒸気ドレン熱交換器（２２８）の間の第３の合流点（２３６Ｇ）で高温再生器（２０２）に向う吸収溶液ラインと合流し、
第７の蒸気ドレン熱交換器（２３２）は、高温再生器（２０２）に向う吸収溶液ラインの吸収溶液ポンプ（１０２）と第３の分岐点（２３４Ｂ）との間の領域（２３５）に介装されており、
第１〜第７の蒸気ドレン熱交換器（２２０、２２２、２２４、２２６、２２８、２３０、２３２）は、高温再生器（２０２）内の吸収溶液に熱量を投入した後に前記加熱用蒸気或いは蒸気ドレンが保有する熱量を、吸収器（２０８）から出て高温再生器（２０２）に向う吸収溶液に投入する様に構成されていることを特徴とする蒸気焚き吸収冷温水機。
【請求項２】
高温再生器（２０２）と、中温再生器（２０４）と、低温再生器（２０６）と、吸収器（２０８）と、凝縮器（２１０）と、蒸発器（２１２）とを有し、吸収器（２０８）から出た吸収溶液が、高温再生器（２０２）、中温再生器（２０４）、低温再生器（２０６）の順に流過する様に構成され、高温再生器（２０２）には加熱用蒸気ライン（２１４、２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から中温再生器（２０４）に向う吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ライン（１０６）を流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ライン（１０８）を流れる吸収溶液が保有する熱量を高温再生器（２０２）に向う吸収溶液に投入する様に構成され、
前記加熱用蒸気ライン（２１４、２１４Ａ）の高温再生器（２０２）を経由した領域（２１４Ａ）は第１の蒸気ドレン熱交換器（２２０）と、第２の蒸気ドレン熱交換器（２３２）と、第３の蒸気ドレン熱交換器（２２５）に連通しており、
第１の蒸気ドレン熱交換器（２２０）は、高温再生器（２０２）に向う吸収溶液ラインの高温溶液熱交換器（３０４）と高温再生器（２０２）の間の領域（２５２）に介装され、
第２の蒸気ドレン熱交換器（２３２）は、高温再生器（２０２）に向う吸収溶液ラインの吸収溶液ポンプ（１０２）と低温溶液熱交換器（３００）との間の領域に介装されており、
第３の蒸気ドレン熱交換器（２２５）は、高温再生器（２０２）に向う吸収溶液ラインの第２の蒸気ドレン熱交換器（２３２）と低温溶液熱交換器（３００）の間における分岐点（２３４Ｂ）で分岐する分岐ライン（２３６Ｑ）に介装されており、該分岐ライン（２３６Ｑ）は低温溶液熱交換器（３００）と中温溶液熱交換器（３０２）と高温溶液熱交換器（３０４）をバイパスし且つ高温溶液熱交換器（３０４）と第１の蒸気ドレン熱交換器（２２０）の間の合流点（２４６Ｇ）で高温再生器（２０２）に向う吸収溶液ラインと合流し、
第１の蒸気ドレン熱交換器（２２０）と第２の蒸気ドレン熱交換器（２３２）と第３の蒸気ドレン熱交換器（２２５）は、高温再生器（２０２）内の吸収溶液に熱量を投入した後に前記加熱用蒸気或いは蒸気ドレンが保有する熱量を、吸収器（２０８）から出て高温再生器（２０２）に向う吸収溶液に投入する様に構成されていることを特徴とする蒸気焚き吸収冷温水機。
【請求項３】
高温再生器（２０２）と、中温再生器（２０４）と、低温再生器（２０６）と、吸収器（２０８）と、凝縮器（２１０）と、蒸発器（２１２）とを有し、吸収器（２０８）から出た吸収溶液が、低温再生器（２０６）、中温再生器（２０４）、高温再生器（２０２）の順に流過する様に構成されており、高温再生器（２０２）には加熱用蒸気ライン（２１４、２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から低温再生器（２０６）に向う吸収溶液ライン（２３６）には低温溶液熱交換器（３００）が介装され、低温再生器（２０６）から中温再生器（２０４）に向う吸収溶液ライン（２４２）には中温溶液熱交換器（３０２）が介装され、中温溶液熱交換器（３０２）から高温再生器（２０２）に向う吸収溶液ライン（２４８）には高温溶液熱交換器（３０４）が介装され、高温溶液熱交換器（３０４）から吸収器（２０８）に向う吸収溶液ライン（１１０）を流れる吸収溶液が保有する熱量を投入する様に構成され、
前記加熱用蒸気ライン（２１４、２１４Ａ）の高温再生器（２０２）を経由した領域（２１４Ａ）は第１〜第９の蒸気ドレン熱交換器（２２０、２２２、２２４Ａ、２２４Ｂ、２２６、２２８Ａ、２２８Ｂ、２３０、２３２）に連通しており、
第１の蒸気ドレン熱交換器（２２０）は、中温再生器（２０４）から高温再生器（２０２）に向う吸収溶液ラインの高温溶液熱交換器（３０４）と高温再生器（２０２）の間の領域（２５２）に介装され、
第２の蒸気ドレン熱交換器（２２２）は、中温再生器（２０４）から高温再生器（２０２）に向う吸収溶液ラインの中温再生器（２０４）と高温溶液熱交換器（３０４）の間における第１の分岐点（２４６Ｂ）で分岐する第１の分岐ライン（２５０）に介装されており、該第１の分岐ライン（２５０）は高温溶液熱交換器（３０４）をバイパスし且つ高温溶液熱交換器（３０４）と第１の蒸気ドレン熱交換器（２２０）の間の第１の合流点（２４６Ｇ）で中温再生器（２０４）から高温再生器（２０２）に向う吸収溶液ラインと合流し、
第３の蒸気ドレン熱交換器（２２４Ａ）は、中温再生器（２０４）から高温再生器（２０２）に向う吸収溶液ラインの中温再生器（２０４）と第１の分岐点（２４６Ｂ）との間の領域（３８６）に介装され、
第４の蒸気ドレン熱交換器（２２４Ｂ）は、低温再生器（２０６）から中温再生器（２０４）に向う吸収溶液ライン（３８４）の中温溶液熱交換器（３０２）と中温再生器（２０４）との間の領域に介装され、
第５の蒸気ドレン熱交換器（２２６）は、低温再生器（２０６）から中温再生器（２０４）に向う吸収溶液ラインの低温再生器（２０６）と中温溶液熱交換器（３０２）の間における第２の分岐点（２４０Ｂ）で分岐する第２の分岐ライン（２４４）に介装されており、該第２の分岐ライン（２４４）は中温溶液熱交換器（３０２）をバイパスし且つ中温溶液熱交換器（３０２）と第４の蒸気ドレン熱交換器（２２４Ｂ）の間の第２の合流点（２４２Ｇ）で低温再生器（２０６）から中温再生器（２０４）に向う吸収溶液ラインと合流し、
第６の蒸気ドレン熱交換器（２２８Ａ）は、低温再生器（２０６）から中温再生器（２０４）に向う吸収溶液ラインの低温再生器（２０６）と第２の分岐点（２４０Ｂ）との間の領域（３８４）に介装され、
第７の蒸気ドレン熱交換器（２２８Ｂ）は、吸収器（２０８）から低温再生器（２０６）に向う吸収溶液ラインの低温溶液熱交換器（３００）と低温再生器（２０６）との間の領域（３８２）に介装され、
第８の蒸気ドレン熱交換器（２３０）は、吸収器（２０８）から低温再生器（２０６）に向う吸収溶液ラインの吸収溶液ポンプ（１０２）と低温溶液熱交換器（３００）の間における第３の分岐点（２３４Ｂ）で分岐する第３の分岐ライン（２３８）に介装されており、該第３の分岐ライン（２３８）は低温溶液熱交換器（３００）をバイパスし且つ低温溶液熱交換器（３００）と第７の蒸気ドレン熱交換器（２２８Ｂ）の間の第３の合流点（２３６Ｇ）で吸収器（２０８）から低温再生器（２０６）に向う吸収溶液ラインと合流し、
第９の蒸気ドレン熱交換器（２３２）は、吸収器（２０８）から低温再生器（２０６）に向う吸収溶液ラインの吸収溶液ポンプ（１０２）と第３の分岐点（２３４Ｂ）との間の領域（２３５）に介装されており、
第１〜第９の蒸気ドレン熱交換器（２２０、２２２、２２４Ａ、２２４Ｂ、２２６、２２８Ａ、２２８Ｂ、２３０、２３２）は、高温再生器（２０２）内の吸収溶液に熱量を投入した後に前記加熱用蒸気或いは蒸気ドレンが保有する熱量を、吸収器（２０８）から出て高温再生器（２０２）に向う吸収溶液に投入する様に構成されていることを特徴とする蒸気焚き吸収冷温水機。
【請求項４】
高温再生器（２０２）と、中温再生器（２０４）と、低温再生器（２０６）と、吸収器（２０８）と、凝縮器（２１０）と、蒸発器（２１２）とを有し、高温再生器（２０２）には加熱用蒸気ライン（２１４、２１４Ａ）が連通し、加熱用蒸気ライン（２１４）を流過する蒸気が保有する熱量が高温再生器（２０２）内の吸収溶液に投入されて冷媒蒸気が再生する様に構成されており、
吸収器（２０８）を出た吸収溶液が低温再生器（２０６）、中温再生器（２０４）、高温再生器（２０２）の順に流過する様に構成され且つ高温再生器（２０２）と吸収器（２０８）とを連通する吸収溶液ライン（２６０）を有し、低温再生器（２０６）と中温再生器（２０４）とを連通する吸収溶液ライン（２６２）から分岐（２６４）し且つ高温再生器（２０２）と吸収器（２０８）とを連通する前記吸収溶液ライン（２６０）と合流（２６６）する第１の分岐吸収溶液ライン（２６８）を有し、中温再生器（２０４）と高温再生器（２０２）とを連通する吸収溶液ライン（２７０）から分岐（２７２）し且つ高温再生器（２０２）と吸収器（２０８）とを連通する前記吸収溶液ライン（２６０）と合流（２７４）する第２の分岐吸収溶液ライン（２７６）を有し、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から低温再生器（２０６）に向う吸収溶液ライン（２３６）には低温溶液熱交換器（３００）が介装され、低温再生器（２０６）から中温再生器（２０４）に向う吸収溶液ライン（２４２）には中温溶液熱交換器（３０２）が介装され、中温溶液熱交換器（３０２）から高温再生器（２０２）に向う吸収溶液ライン（２４８）には高温溶液熱交換器（３０４）が介装され、高温溶液熱交換器（３０４）から吸収器（２０８）に向う吸収溶液ライン（１１０）を流れる吸収溶液が保有する熱量を投入する様に構成され、
前記加熱用蒸気ライン（２１４、２１４Ａ）の高温再生器（２０２）を経由した領域（２１４Ａ）は第１〜第９の蒸気ドレン熱交換器（２２０、２２２、２２４、２２４Ｂ、２２６、２２８Ａ、２２８Ｂ、２３０、２３２）に連通しており、
第１の蒸気ドレン熱交換器（２２０）は、中温再生器（２０４）から高温再生器（２０２）に向う吸収溶液ラインの高温溶液熱交換器（３０４）と高温再生器（２０２）の間の領域（２５２）に介装され、
第２の蒸気ドレン熱交換器（２２２）は、中温再生器（２０４）から高温再生器（２０２）に向う吸収溶液ラインの第２の分岐吸収溶液ライン（２７６）の分岐部（２７２）と高温溶液熱交換器（３０４）の間における第１の分岐点（２４６Ｂ）で分岐する第１の分岐ライン（２５０）に介装されており、該第１の分岐ライン（２５０）は高温溶液熱交換器（３０４）をバイパスし且つ高温溶液熱交換器（３０４）と第１の蒸気ドレン熱交換器（２２０）の間の第１の合流点（２４６Ｇ）で中温再生器（２０４）から高温再生器（２０２）に向う吸収溶液ラインと合流し、
第３の蒸気ドレン熱交換器（２２４）は、中温再生器（２０４）から高温再生器（２０２）に向う吸収溶液ラインの第２の分岐吸収溶液ライン（２７６）の分岐部（２７２）と第１の分岐点（２４６Ｂ）との間の領域に介装され、
第４の蒸気ドレン熱交換器（２２４Ｂ）は、低温再生器（２０６）から中温再生器（２０４）に向う吸収溶液ライン（３８４）の中温溶液熱交換器（３０２）と中温再生器（２０４）との間の領域に介装され、
第５の蒸気ドレン熱交換器（２２６）は、低温再生器（２０６）から中温再生器（２０４）に向う吸収溶液ラインの第１の分岐吸収溶液ライン（２６８）の分岐部（２６４）と中温溶液熱交換器（３０２）の間における第２の分岐点（２４０Ｂ）で分岐する第２の分岐ライン（２４４）に介装されており、該第２の分岐ライン（２４４）は中温溶液熱交換器（３０２）をバイパスし且つ中温溶液熱交換器（３０２）と第４の蒸気ドレン熱交換器（２２４Ｂ）の間の第２の合流点（２４２Ｇ）で低温再生器（２０６）から中温再生器（２０４）に向う吸収溶液ラインと合流し、
第６の蒸気ドレン熱交換器（２２８Ａ）は、低温再生器（２０６）から中温再生器（２０４）に向う吸収溶液ラインの第１の分岐吸収溶液ライン（２６８）の分岐部（２６４）と第２の分岐点（２４０Ｂ）との間の領域に介装され、
第７の蒸気ドレン熱交換器（２２８Ｂ）は、吸収器（２０８）から低温再生器（２０６）に向う吸収溶液ラインの低温溶液熱交換器（３００）と低温再生器（２０６）との間の領域（３８２）に介装され、
第８の蒸気ドレン熱交換器（２３０）は、吸収器（２０８）から低温再生器（２０６）に向う吸収溶液ラインの吸収溶液ポンプ（１０２）と低温溶液熱交換器（３００）の間における第３の分岐点（２３４Ｂ）で分岐する第３の分岐ライン（２３８）に介装されており、該第３の分岐ライン（２３８）は低温溶液熱交換器（３００）をバイパスし且つ低温溶液熱交換器（３００）と第７の蒸気ドレン熱交換器（２２８Ｂ）の間の第３の合流点（２３６Ｇ）で吸収器（２０８）から低温再生器（２０６）に向う吸収溶液ラインと合流し、
第９の蒸気ドレン熱交換器（２３２）は、吸収器（２０８）から低温再生器（２０６）に向う吸収溶液ラインの吸収溶液ポンプ（１０２）と第３の分岐点（２３４Ｂ）との間の領域（２３５）に介装されており、
第１〜第９の蒸気ドレン熱交換器（２２０、２２２、２２４、２２４Ｂ、２２６、２２８Ａ、２２８Ｂ、２３０、２３２）は、高温再生器（２０２）内の吸収溶液に熱量を投入した後に前記加熱用蒸気或いは蒸気ドレンが保有する熱量を、吸収器（２０８）から出て高温再生器（２０２）に向う吸収溶液に投入する様に構成されていることを特徴とする蒸気焚き吸収冷温水機。
【請求項５】
高温再生器（２０２）と、中温再生器（２０４）と、低温再生器（２０６）と、吸収器（２０８）と、凝縮器（２１０）と、蒸発器（２１２）とを有し、高温再生器（２０２）には加熱用蒸気ライン（２１４、２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から出た吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ライン（３１４）を流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ライン（３１６）を流れる吸収溶液が保有する熱量を高温再生器（２０２）に向う吸収溶液に投入する様に構成され、
吸収器（２０８）から高温再生器（２０２）に連通する吸収溶液ライン（２８２、２８４、２８６）が、低温溶液熱交換器（３００）と中温溶液熱交換器（３０２）との間の領域で低温再生器（２０６）に連通する第１の分岐吸収溶液ライン（３０６）が分岐（３０８）しており、中温溶液熱交換器（３０２）と高温溶液熱交換器（３０４）との間の領域で中温再生器（２０４）に連通する第２の分岐吸収溶液ライン（３１０）が分岐（３１１）しており、高温再生器（２０２）から吸収器（２０８）に向かう吸収溶液ライン（３１２、３１４、３１６）には、中温再生器（２０４）で加熱された吸収溶液が流れる吸収溶液ライン（３１８）が合流（３２０）しており、且つ、低温再生器（２０６）で加熱された吸収溶液が流れる吸収溶液ライン（３２２）が合流（３２４）しており、
前記加熱用蒸気ライン（２１４、２１４Ａ）の高温再生器（２０２）を経由した領域（２１４Ａ）は第１〜第９の蒸気ドレン熱交換器（２２０、２２２、２２３Ａ、２２４、２２６、２２７、２２８、２３０、２３２）に連通しており、
第１の蒸気ドレン熱交換器（２２０）は、高温再生器（２０２）に向う吸収溶液ラインの高温溶液熱交換器（３０４）と高温再生器（２０２）の間の領域（２５２）に介装され、
第２の蒸気ドレン熱交換器（２２２）は、高温再生器（２０２）に向う吸収溶液ラインの第２の分岐吸収溶液ライン（３１０）の分岐部（３１１）と高温溶液熱交換器（３０４）の間における第１の分岐点（２４６Ｂ）で分岐する第１の分岐ライン（２５０）に介装されており、該第１の分岐ライン（２５０）は高温溶液熱交換器（３０４）をバイパスし且つ高温溶液熱交換器（３０４）と第１の蒸気ドレン熱交換器（２２０）の間の第１の合流点（２４６Ｇ）で高温再生器（２０２）に向う吸収溶液ラインと合流し、
第３の蒸気ドレン熱交換器（２２３Ａ）は、高温再生器（２０２）に向う吸収溶液ラインの第２の分岐吸収溶液ライン（３１０）の分岐部（３１１）と第１の分岐点（２４６Ｂ）との間の領域（２８６）に介装され、
第４の蒸気ドレン熱交換器（２２４）は、高温再生器（２０２）に向う吸収溶液ラインの中温溶液熱交換器（３０２）と第２の分岐吸収溶液ライン（３１０）の分岐部（３１１）との間の領域に介装され、
第５の蒸気ドレン熱交換器（２２６）は、高温再生器（２０２）に向う吸収溶液ラインの第１の分岐吸収溶液ライン（３０６）の分岐部（３０８）と中温溶液熱交換器（３０２）の間における第２の分岐点（２４０Ｂ）で分岐する第２の分岐ライン（２４４）に介装されており、該第２の分岐ライン（２４４）は中温溶液熱交換器（３０２）をバイパスし且つ中温溶液熱交換器（３０２）と第４の蒸気ドレン熱交換器（２２４）の間の第２の合流点（２４２Ｇ）で高温再生器（２０２）に向う吸収溶液ラインと合流し、
第６の蒸気ドレン熱交換器（２２７）は、高温再生器（２０２）に向う吸収溶液ラインの第１の分岐吸収溶液ライン（３０６）の分岐部（３０８）と第２の分岐点（２４０Ｂ）との間の領域（２８４）に介装され、
第７の蒸気ドレン熱交換器（２２８）は、高温再生器（２０２）に向う吸収溶液ラインの低温溶液熱交換器（３００）と第１の分岐吸収溶液ライン（３０６）の分岐部（３０８）との間の領域に介装され、
第８の蒸気ドレン熱交換器（２３０）は、高温再生器（２０２）に向う吸収溶液ラインの吸収溶液ポンプ（１０２）と低温溶液熱交換器（３００）の間における第３の分岐点（２８２Ｂ）で分岐する第３の分岐ライン（２８３）に介装されており、該第３の分岐ライン（２８３）は低温溶液熱交換器（３００）をバイパスし且つ低温溶液熱交換器（３００）と第７の蒸気ドレン熱交換器（２２８）の間の第３の合流点（２８３Ｇ）で高温再生器（２０２）に向う吸収溶液ラインと合流し、
第９の蒸気ドレン熱交換器（２３２）は、高温再生器（２０２）に向う吸収溶液ラインの吸収溶液ポンプ（１０２）と第３の分岐点（２８２Ｂ）との間の領域（２３５）に介装されており、
第１〜第９の蒸気ドレン熱交換器（２２０、２２２、２２３Ａ、２２４、２２６、２２７、２２８、２３０、２３２）は、高温再生器（２０２）内の吸収溶液に熱量を投入した後に前記加熱用蒸気或いは蒸気ドレンが保有する熱量を、吸収器（２０８）から出て高温再生器（２０２）に向う吸収溶液に投入する様に構成されていることを特徴とする蒸気焚き吸収冷温水機。
【請求項６】
高温再生器（２０２）と、中温再生器（２０４）と、低温再生器（２０６）と、吸収器（２０８）と、凝縮器（２１０）と、蒸発器（２１２）とを有し、高温再生器（２０２）には加熱用蒸気ライン（２１４、２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から出た吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ライン（３１４）を流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ライン（３１６）を流れる吸収溶液が保有する熱量を高温再生器（２０２）に向う吸収溶液に投入する様に構成され、
吸収器（２０８）から高温再生器（２０２）に連通する吸収溶液ライン（２８２、２８４、２８６）が、低温溶液熱交換器（３００）と中温溶液熱交換器（３０２）との間の領域で低温再生器（２０６）に連通する第１の分岐吸収溶液ライン（３０６）が分岐（３０８）しており、中温溶液熱交換器（３０２）と高温溶液熱交換器（３０４）との間の領域で中温再生器（２０４）に連通する第２の分岐吸収溶液ライン（３１０）が分岐（３１１）しており、高温再生器（２０２）から吸収器（２０８）に向かう吸収溶液ライン（３１２、３１４、３１６）には、中温再生器（２０４）で加熱された吸収溶液が流れる吸収溶液ライン（３１８）が合流（３２０）しており、且つ、低温再生器（２０６）で加熱された吸収溶液が流れる吸収溶液ライン（３２２）が合流（３２４）しており、
前記加熱用蒸気ライン（２１４、２１４Ａ）の高温再生器（２０２）を経由した領域（２１４Ａ）は第１〜第３の蒸気ドレン熱交換器（２２０、２３２、２２７Ｃ）に連通しており、
第１の蒸気ドレン熱交換器（２２０）は、高温再生器（２０２）に向う吸収溶液ラインの高温溶液熱交換器（３０４）と高温再生器（２０２）の間の領域（２５２）に介装され、
第２の蒸気ドレン熱交換器（２３２）は、高温再生器（２０２）に向う吸収溶液ラインの吸収溶液ポンプ（１０２）と低温溶液熱交換器（３００）との間の領域（２８２）に介装されており、
第３の蒸気ドレン熱交換器（２２７Ｃ）は、高温再生器（２０２）に向う吸収溶液ラインの吸収溶液ポンプ（１０２）と低温溶液熱交換器（３００）との間の領域（２８２）における分岐点（２８２Ｂ）で分岐する分岐ライン（２５１Ｓ）に介装されており、該分岐ライン（２５１Ｓ）は低温溶液熱交換器（３００）、中温溶液熱交換器（３０２）、高温溶液熱交換器（３０４）をバイパスし且つ高温溶液熱交換器（３０４）と第１の蒸気ドレン熱交換器（２２０）の間の合流点（２８７Ｇ）で高温再生器（２０２）に向う吸収溶液ラインと合流し、
第１〜第３の蒸気ドレン熱交換器（２２０、２３２、２２７Ｃ）は、高温再生器（２０２）内の吸収溶液に熱量を投入した後に前記加熱用蒸気或いは蒸気ドレンが保有する熱量を、吸収器（２０８）から出て高温再生器（２０２）に向う吸収溶液に投入する様に構成されていることを特徴とする蒸気焚き吸収冷温水機。
【請求項７】
高温再生器（２０２）と、中温再生器（２０４）と、低温再生器（２０６）と、吸収器（２０８）と、凝縮器（２１０）と、蒸発器（２１２）とを有し、高温再生器（２０２）には加熱用蒸気ライン（２１４、２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から中温再生器（２０４）へ向う吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ライン（３１８）を流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ライン（３２２）を流れる吸収溶液が保有する熱量を高温再生器（２０２）に向う吸収溶液に投入する様に構成され、
吸収器（２０８）から高温再生器（２０２）に連通する吸収溶液ライン（２８２、２８６）が、低温溶液熱交換器（３００）と中温溶液熱交換器（３０２）との間の領域で低温再生器（２０６）に連通する第１の分岐吸収溶液ライン（３０６）が分岐（３０８）しており、中温溶液熱交換器（３０２）と高温溶液熱交換器（３０４）との間の領域で中温再生器（２０４）に連通する第２の分岐吸収溶液ライン（３１０）が分岐（３１１）しており、高温再生器（２０２）で加熱された吸収溶液が流れる吸収溶液ライン（３４０）は中温再生器（２０４）に連通しており、中温再生器（２０４）で加熱された吸収溶液が流れる吸収溶液ライン（３１８）は第１の分岐吸収溶液ライン（３０６）に合流して低温再生器（２０６）に連通しており、
前記加熱用蒸気ライン（２１４、２１４Ａ）の高温再生器（２０２）を経由した領域（２１４Ａ）は第１〜第９の蒸気ドレン熱交換器（２２０、２２２、２２３Ａ、２２４、２２６、２２７、２２８、２３０、２３２）に連通しており、
第１の蒸気ドレン熱交換器（２２０）は、高温再生器（２０２）に向う吸収溶液ラインの高温溶液熱交換器（３０４）と高温再生器（２０２）の間の領域（２５２）に介装され、
第２の蒸気ドレン熱交換器（２２２）は、高温再生器（２０２）に向う吸収溶液ラインの第２の分岐吸収溶液ライン（３１０）の分岐部（３１１）と高温溶液熱交換器（３０４）の間における第１の分岐点（２４６Ｂ）で分岐する第１の分岐ライン（２５０）に介装されており、該第１の分岐ライン（２５０）は高温溶液熱交換器（３０４）をバイパスし且つ高温溶液熱交換器（３０４）と第１の蒸気ドレン熱交換器（２２０）の間の第１の合流点（２４６Ｇ）で高温再生器（２０２）に向う吸収溶液ラインと合流し、
第３の蒸気ドレン熱交換器（２２３Ａ）は、高温再生器（２０２）に向う吸収溶液ラインの第２の分岐吸収溶液ライン（３１０）の分岐部（３１１）と第１の分岐点（２４６Ｂ）との間の領域（２８６）に介装され、
第４の蒸気ドレン熱交換器（２２４）は、高温再生器（２０２）に向う吸収溶液ラインの中温溶液熱交換器（３０２）と第２の分岐吸収溶液ライン（３１０）の分岐部（３１１）との間の領域に介装され、
第５の蒸気ドレン熱交換器（２２６）は、高温再生器（２０２）に向う吸収溶液ラインの第１の分岐吸収溶液ライン（３０６）の分岐部（３０８）と中温溶液熱交換器（３０２）の間における第２の分岐点（２４０Ｂ）で分岐する第２の分岐ライン（２４４）に介装されており、該第２の分岐ライン（２４４）は中温溶液熱交換器（３０２）をバイパスし且つ中温溶液熱交換器（３０２）と第４の蒸気ドレン熱交換器（２２４）の間の第２の合流点（２４２Ｇ）で高温再生器（２０２）に向う吸収溶液ラインと合流し、
第６の蒸気ドレン熱交換器（２２７）は、高温再生器（２０２）に向う吸収溶液ラインの第１の分岐吸収溶液ライン（３０６）の分岐部（３０８）と第２の分岐点（２４０Ｂ）との間の領域に介装され、
第７の蒸気ドレン熱交換器（２２８）は、高温再生器（２０２）に向う吸収溶液ラインの低温溶液熱交換器（３００）と第１の分岐吸収溶液ライン（３０６）の分岐部（３０８）との間の領域に介装され、
第８の蒸気ドレン熱交換器（２３０）は、高温再生器（２０２）に向う吸収溶液ラインの吸収溶液ポンプ（１０２）と低温溶液熱交換器（３００）の間における第３の分岐点（２８２Ｂ）で分岐する第３の分岐ライン（２８３）に介装されており、該第３の分岐ライン（２８３）は低温溶液熱交換器（３００）をバイパスし且つ低温溶液熱交換器（３００）と第７の蒸気ドレン熱交換器（２２８）の間の第３の合流点（２８３Ｇ）で高温再生器（２０２）に向う吸収溶液ラインと合流し、
第９の蒸気ドレン熱交換器（２３２）は、高温再生器（２０２）に向う吸収溶液ラインの吸収溶液ポンプ（１０２）と第３の分岐点（２８２Ｂ）との間の領域（２３５）に介装されており、
第１〜第９の蒸気ドレン熱交換器（２２０、２２２、２２３Ａ、２２４、２２６、２２７、２２８、２３０、２３２）は、高温再生器（２０２）内の吸収溶液に熱量を投入した後に前記加熱用蒸気或いは蒸気ドレンが保有する熱量を、吸収器（２０８）から出て高温再生器（２０２）に向う吸収溶液に投入する様に構成されていることを特徴とする蒸気焚き吸収冷温水機。
【請求項８】
高温再生器（２０２）と、中温再生器（２０４）と、低温再生器（２０６）と、吸収器（２０８）と、凝縮器（２１０）と、蒸発器（２１２）とを有し、高温再生器（２０２）には加熱用蒸気ライン（２１４、２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から中温再生器（２０４）へ向う吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ラインを流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ラインを流れる吸収溶液が保有する熱量を高温再生器（２０２）に向う吸収溶液に投入する様に構成され、
吸収器（２０８）から高温再生器（２０２）に連通する吸収溶液ライン（２８２、２８６）が、低温溶液熱交換器（３００）と中温溶液熱交換器（３０２）との間の領域で低温再生器（２０６）に連通する第１の分岐吸収溶液ライン（３０６）が分岐（３０８）しており、中温溶液熱交換器（３０２）と高温溶液熱交換器（３０４）との間の領域で中温再生器（２０４）に連通する第２の分岐吸収溶液ライン（３１０）が分岐（３１１）しており、高温再生器（２０２）で加熱された吸収溶液が流れる吸収溶液ライン（３４０）は中温再生器（２０４）に連通しており、中温再生器（２０４）で加熱された吸収溶液が流れる吸収溶液ラインは第１の分岐吸収溶液ライン（３０６）に合流して低温再生器（２０６）に連通しており、
前記加熱用蒸気ライン（２１４、２１４Ａ）の高温再生器（２０２）を経由した領域（２１４Ａ）は第１〜第３の蒸気ドレン熱交換器（２２０、２３２、２２７Ｃ）に連通しており、
第１の蒸気ドレン熱交換器（２２０）は、高温再生器（２０２）に向う吸収溶液ラインの高温溶液熱交換器（３０４）と高温再生器（２０２）の間の領域（２５２）に介装され、
第２の蒸気ドレン熱交換器（２３２）は、高温再生器（２０２）に向う吸収溶液ラインの吸収溶液ポンプ（１０２）と低温溶液熱交換器（３００）との間の領域に介装されており、
第３の蒸気ドレン熱交換器（２２７Ｃ）は、高温再生器（２０２）に向う吸収溶液ラインの吸収溶液ポンプ（１０２）と低温溶液熱交換器（３００）との間の領域における分岐点（２８２Ｂ）で分岐する分岐ライン（２５１Ｓ）に介装されており、該分岐ライン（２５１Ｓ）は低温溶液熱交換器（３００）、中温溶液熱交換器（３０２）、高温溶液熱交換器（３０４）をバイパスし且つ高温溶液熱交換器（３０４）と第１の蒸気ドレン熱交換器（２２０）の間の合流点（２８７Ｇ）で高温再生器（２０２）に向う吸収溶液ラインと合流し、
第１〜第３の蒸気ドレン熱交換器（２２０、２３２、２２７Ｃ）は、高温再生器（２０２）内の吸収溶液に熱量を投入した後に前記加熱用蒸気或いは蒸気ドレンが保有する熱量を、吸収器（２０８）から出て高温再生器（２０２）に向う吸収溶液に投入する様に構成されていることを特徴とする蒸気焚き吸収冷温水機。
【発明の詳細な説明】
【０００１】
【発明の属する技術分野】
本発明は、吸収冷温水機に関し、特に、高温再生器、中温再生器、低温再生器を有する３重効用蒸気焚き吸収冷温水機に関する。
【０００２】
【従来の技術】
図９に典型的な一例を示す従来の３重効用蒸気焚き吸収冷温水機Ｊ１は、高温再生器２０２と、中温再生器２０４と、低温再生器２０６と、吸収器２０８と、凝縮器２１０と、蒸発器２１２とを有している。そして、高温再生器２０２には加熱源である蒸気が流過する加熱用蒸気ライン２１４が連通し、加熱用蒸気が保有する熱量が高温再生器２０２内の吸収溶液に投入されて冷媒蒸気が発生（再生）する。
【０００３】
高温再生器２０２で発生した蒸気は、蒸気ライン（第１の蒸気ライン）２１６を流れて、中温再生器２０４内の吸収溶液に対して、保有する熱量を投入する。これにより、中温再生器２０４で冷媒蒸気が発生（再生）する。
中温再生器２０４で発生した蒸気は、第２の冷媒蒸気ライン２１８を流れて、低温再生器２０６内の吸収溶液に対して、その保有する熱量を投入し、以って、低温再生器２０６から冷媒蒸気を発生せしめている。
【０００４】
従来の３重効用蒸気焚き吸収冷温水機Ｊ１では、高温再生器２０２で熱交換後の蒸気（蒸気ドレン）は、加熱用蒸気ライン２１４Ａを介してそのまま、系外へ排出される。加熱用蒸気ライン２１４Ａ内の蒸気ドレンは、未だに或程度の熱量を保有しているが、その熱量を保有したまま系外に排出されており、不経済でもったいない。
【０００５】
しかし、従来の３重効用蒸気焚き吸収冷温水機Ｊ１では、蒸気ドレンが保有している熱量の有効利用については、全く考えられていなかった。。
【０００６】
【発明が解決しようとする課題】
本発明は上述したような従来技術の問題点に鑑みて提案されたものであり、蒸気ドレンが保有している熱量の有効利用することが出来る３重効用蒸気焚き吸収冷温水機の提供を目的としている。
【０００７】
【課題を解決するための手段】
本発明の蒸気焚き吸収冷温水機は、高温再生器（２０２）と、中温再生器（２０４）と、低温再生器（２０６）と、吸収器（２０８）と、凝縮器（２１０）と、蒸発器（２１２）とを有し、吸収器（２０８）から出た吸収溶液が、高温再生器（２０２）、中温再生器（２０４）、低温再生器（２０６）の順に流過する様に構成され、高温再生器（２０２）には加熱用蒸気ライン（２１４、２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から中温再生器（２０４）に向う吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ライン（１０６）を流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ライン（１０８）を流れる吸収溶液が保有する熱量を高温再生器（２０２）に向う吸収溶液に投入する様に構成され、
前記加熱用蒸気ライン（２１４、２１４Ａ）の高温再生器（２０２）を経由した領域（２１４Ａ）は第１〜第７の蒸気ドレン熱交換器（２２０、２２２、２２４、２２６、２２８、２３０、２３２）に連通しており、
第１の蒸気ドレン熱交換器（２２０）は、高温再生器（２０２）に向う吸収溶液ラインの高温溶液熱交換器（３０４）と高温再生器（２０２）の間の領域（２５２）に介装され、
第２の蒸気ドレン熱交換器（２２２）は、高温再生器（２０２）に向う吸収溶液ラインの中温溶液熱交換器（３０２）と高温溶液熱交換器（３０４）の間における第１の分岐点（２４６Ｂ）で分岐する第１の分岐ライン（２５０）に介装されており、該第１の分岐ライン（２５０）は高温溶液熱交換器（３０４）をバイパスし且つ高温溶液熱交換器（３０４）と第１の蒸気ドレン熱交換器（２２０）の間の第１の合流点（２４６Ｇ）で高温再生器（２０２）に向う吸収溶液ラインと合流し、
第３の蒸気ドレン熱交換器（２２４）は、高温再生器（２０２）に向う吸収溶液ラインの中温溶液熱交換器（３０２）と第１の分岐点（２４６Ｂ）との間の領域（２４６）に介装され、
第４の蒸気ドレン熱交換器（２２６）は、高温再生器（２０２）に向う吸収溶液ラインの低温溶液熱交換器（３００）と中温溶液熱交換器（３０２）の間における第２の分岐点（２４０Ｂ）で分岐する第２の分岐ライン（２４４）に介装されており、該第２の分岐ライン（２４４）は中温溶液熱交換器（３０２）をバイパスし且つ中温溶液熱交換器（３０２）と第３の蒸気ドレン熱交換器（２２４）の間の第２の合流点（２４２Ｇ）で高温再生器（２０２）に向う吸収溶液ラインと合流し、
第５の蒸気ドレン熱交換器（２２８）は、高温再生器（２０２）に向う吸収溶液ラインの低温溶液熱交換器（３００）と第２の分岐点（２４０Ｂ）との間の領域（２４０）に介装され、
第６の蒸気ドレン熱交換器（２３０）は、高温再生器（２０２）に向う吸収溶液ラインの吸収溶液ポンプ（１０２）と低温溶液熱交換器（３００）の間における第３の分岐点（２３４Ｂ）で分岐する第３の分岐ライン（２３８）に介装されており、該第３の分岐ライン（２３８）は低温溶液熱交換器（３００）をバイパスし且つ低温溶液熱交換器（３００）と第５の蒸気ドレン熱交換器（２２８）の間の第３の合流点（２３６Ｇ）で高温再生器（２０２）に向う吸収溶液ラインと合流し、
第７の蒸気ドレン熱交換器（２３２）は、高温再生器（２０２）に向う吸収溶液ラインの吸収溶液ポンプ（１０２）と第３の分岐点（２３４Ｂ）との間の領域（２３５）に介装されており、
第１〜第７の蒸気ドレン熱交換器（２２０、２２２、２２４、２２６、２２８、２３０、２３２）は、高温再生器（２０２）内の吸収溶液に熱量を投入した後に前記加熱用蒸気或いは蒸気ドレンが保有する熱量を、吸収器（２０８）から出て高温再生器（２０２）に向う吸収溶液に投入する様に構成されていることを特徴としている（請求項１：図１）。
【０００８】
また、本発明の蒸気焚き吸収冷温水機は、高温再生器（２０２）と、中温再生器（２０４）と、低温再生器（２０６）と、吸収器（２０８）と、凝縮器（２１０）と、蒸発器（２１２）とを有し、吸収器（２０８）から出た吸収溶液が、高温再生器（２０２）、中温再生器（２０４）、低温再生器（２０６）の順に流過する様に構成され、高温再生器（２０２）には加熱用蒸気ライン（２１４、２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から中温再生器（２０４）に向う吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ライン（１０６）を流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ライン（１０８）を流れる吸収溶液が保有する熱量を高温再生器（２０２）に向う吸収溶液に投入する様に構成され、
前記加熱用蒸気ライン（２１４、２１４Ａ）の高温再生器（２０２）を経由した領域（２１４Ａ）は第１の蒸気ドレン熱交換器（２２０）と、第２の蒸気ドレン熱交換器（２３２）と、第３の蒸気ドレン熱交換器（２２５）に連通しており、
第１の蒸気ドレン熱交換器（２２０）は、高温再生器（２０２）に向う吸収溶液ラインの高温溶液熱交換器（３０４）と高温再生器（２０２）の間の領域（２５２）に介装され、
第２の蒸気ドレン熱交換器（２３２）は、高温再生器（２０２）に向う吸収溶液ラインの吸収溶液ポンプ（１０２）と低温溶液熱交換器（３００）との間の領域に介装されており、
第３の蒸気ドレン熱交換器（２２５）は、高温再生器（２０２）に向う吸収溶液ラインの第７の蒸気ドレン熱交換器（２３２）と低温溶液熱交換器（３００）の間における分岐点（２３４Ｂ）で分岐する分岐ライン（２３６Ｑ）に介装されており、該分岐ライン（２３６Ｑ）は低温溶液熱交換器（３００）と中温溶液熱交換器（３０２）と高温溶液熱交換器（３０４）をバイパスし且つ高温溶液熱交換器（３０４）と第１の蒸気ドレン熱交換器（２２０）の間の合流点（２４６Ｇ）で高温再生器（２０２）に向う吸収溶液ラインと合流し、
第１の蒸気ドレン熱交換器（２２０）と第２の蒸気ドレン熱交換器（２３２）と第３の蒸気ドレン熱交換器（２２５）は、高温再生器（２０２）内の吸収溶液に熱量を投入した後に前記加熱用蒸気或いは蒸気ドレンが保有する熱量を、吸収器（２０８）から出て高温再生器（２０２）に向う吸収溶液に投入する様に構成されていることを特徴としている（請求項２：図２）。
【０００９】
そして、本発明の蒸気焚き吸収冷温水機は、高温再生器（２０２）と、中温再生器（２０４）と、低温再生器（２０６）と、吸収器（２０８）と、凝縮器（２１０）と、蒸発器（２１２）とを有し、吸収器（２０８）から出た吸収溶液が、低温再生器（２０６）、中温再生器（２０４）、高温再生器（２０２）の順に流過する様に構成されており、高温再生器（２０２）には加熱用蒸気ライン（２１４、２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から低温再生器（２０６）に向う吸収溶液ライン（２３６）には低温溶液熱交換器（３００）が介装され、低温再生器（２０６）から中温再生器（２０４）に向う吸収溶液ライン（２４２）には中温溶液熱交換器（３０２）が介装され、中温溶液熱交換器（３０２）から高温再生器（２０２）に向う吸収溶液ライン（２４８）には高温溶液熱交換器（３０４）が介装され、高温溶液熱交換器（３０４）から吸収器（２０８）に向う吸収溶液ライン（１１０）を流れる吸収溶液が保有する熱量を投入する様に構成され、
前記加熱用蒸気ライン（２１４、２１４Ａ）の高温再生器（２０２）を経由した領域（２１４Ａ）は第１〜第９の蒸気ドレン熱交換器（２２０、２２２、２２４Ａ、２２４Ｂ、２２６、２２８Ａ、２２８Ｂ、２３０、２３２）に連通しており、
第１の蒸気ドレン熱交換器（２２０）は、中温再生器（２０４）から高温再生器（２０２）に向う吸収溶液ラインの高温溶液熱交換器（３０４）と高温再生器（２０２）の間の領域（２５２）に介装され、
第２の蒸気ドレン熱交換器（２２２）は、中温再生器（２０４）から高温再生器（２０２）に向う吸収溶液ラインの中温再生器（２０４）と高温溶液熱交換器（３０４）の間における第１の分岐点（２４６Ｂ）で分岐する第１の分岐ライン（２５０）に介装されており、該第１の分岐ライン（２５０）は高温溶液熱交換器（３０４）をバイパスし且つ高温溶液熱交換器（３０４）と第１の蒸気ドレン熱交換器（２２０）の間の第１の合流点（２４６Ｇ）で中温再生器（２０４）から高温再生器（２０２）に向う吸収溶液ラインと合流し、
第３の蒸気ドレン熱交換器（２２４Ａ）は、中温再生器（２０４）から高温再生器（２０２）に向う吸収溶液ラインの中温再生器（２０４）と第１の分岐点（２４６Ｂ）との間の領域（３８６）に介装され、
第４の蒸気ドレン熱交換器（２２４Ｂ）は、低温再生器（２０６）から中温再生器（２０４）に向う吸収溶液ライン（３８４）の中温溶液熱交換器（３０２）と中温再生器（２０４）との間の領域に介装され、
第５の蒸気ドレン熱交換器（２２６）は、低温再生器（２０６）から中温再生器（２０４）に向う吸収溶液ラインの低温再生器（２０６）と中温溶液熱交換器（３０２）の間における第２の分岐点（２４０Ｂ）で分岐する第２の分岐ライン（２４４）に介装されており、該第２の分岐ライン（２４４）は中温溶液熱交換器（３０２）をバイパスし且つ中温溶液熱交換器（３０２）と第４の蒸気ドレン熱交換器（２２４Ｂ）の間の第２の合流点（２４２Ｇ）で低温再生器（２０６）から中温再生器（２０４）に向う吸収溶液ラインと合流し、
第６の蒸気ドレン熱交換器（２２８Ａ）は、低温再生器（２０６）から中温再生器（２０４）に向う吸収溶液ラインの低温再生器（２０６）と第２の分岐点（２４０Ｂ）との間の領域（３８４）に介装され、
第７の蒸気ドレン熱交換器（２２８Ｂ）は、吸収器（２０８）から低温再生器（２０６）に向う吸収溶液ラインの低温溶液熱交換器（３００）と低温再生器（２０６）との間の領域（３８２）に介装され、
第８の蒸気ドレン熱交換器（２３０）は、吸収器（２０８）から低温再生器（２０６）に向う吸収溶液ラインの吸収溶液ポンプ（１０２）と低温溶液熱交換器（３００）の間における第３の分岐点（２３４Ｂ）で分岐する第３の分岐ライン（２３８）に介装されており、該第３の分岐ライン（２３８）は低温溶液熱交換器（３００）をバイパスし且つ低温溶液熱交換器（３００）と第７の蒸気ドレン熱交換器（２２８Ｂ）の間の第３の合流点（２３６Ｇ）で吸収器（２０８）から低温再生器（２０６）に向う吸収溶液ラインと合流し、
第９の蒸気ドレン熱交換器（２３２）は、吸収器（２０８）から低温再生器（２０６）に向う吸収溶液ラインの吸収溶液ポンプ（１０２）と第３の分岐点（２３４Ｂ）との間の領域（２３５）に介装されており、
第１〜第９の蒸気ドレン熱交換器（２２０、２２２、２２４Ａ、２２４Ｂ、２２６、２２８Ａ、２２８Ｂ、２３０、２３２）は、高温再生器（２０２）内の吸収溶液に熱量を投入した後に前記加熱用蒸気或いは蒸気ドレンが保有する熱量を、吸収器（２０８）から出て高温再生器（２０２）に向う吸収溶液に投入する様に構成されていることを特徴としている（請求項３：図３）。
【００１０】
さらに、本発明の蒸気焚き吸収冷温水機は、高温再生器（２０２）と、中温再生器（２０４）と、低温再生器（２０６）と、吸収器（２０８）と、凝縮器（２１０）と、蒸発器（２１２）とを有し、高温再生器（２０２）には加熱用蒸気ライン（２１４、２１４Ａ）が連通し、加熱用蒸気ライン（２１４）を流過する蒸気が保有する熱量が高温再生器（２０２）内の吸収溶液に投入されて冷媒蒸気が再生する様に構成されており、
吸収器（２０８）を出た吸収溶液が低温再生器（２０６）、中温再生器（２０４）、高温再生器（２０２）の順に流過する様に構成され且つ高温再生器（２０２）と吸収器（２０８）とを連通する吸収溶液ライン（２６０）を有し、低温再生器（２０６）と中温再生器（２０４）とを連通する吸収溶液ライン（２６２）から分岐（２６４）し且つ高温再生器（２０２）と吸収器（２０８）とを連通する前記吸収溶液ライン（２６０）と合流（２６６）する第１の分岐吸収溶液ライン（２６８）を有し、中温再生器（２０４）と高温再生器（２０２）とを連通する吸収溶液ライン（２７０）から分岐（２７２）し且つ高温再生器（２０２）と吸収器（２０８）とを連通する前記吸収溶液ライン（２６０）と合流（２７４）する第２の分岐吸収溶液ライン（２７６）を有し、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から低温再生器（２０６）に向う吸収溶液ライン（２３６）には低温溶液熱交換器（３００）が介装され、低温再生器（２０６）から中温再生器（２０４）に向う吸収溶液ライン（２４２）には中温溶液熱交換器（３０２）が介装され、中温溶液熱交換器（３０２）から高温再生器（２０２）に向う吸収溶液ライン（２４８）には高温溶液熱交換器（３０４）が介装され、高温溶液熱交換器（３０４）から吸収器（２０８）に向う吸収溶液ライン（１１０）を流れる吸収溶液が保有する熱量を投入する様に構成され、
前記加熱用蒸気ライン（２１４、２１４Ａ）の高温再生器（２０２）を経由した領域（２１４Ａ）は第１〜第９の蒸気ドレン熱交換器（２２０、２２２、２２４、２２４Ｂ、２２６、２２８Ａ、２２８Ｂ、２３０、２３２）に連通しており、
第１の蒸気ドレン熱交換器（２２０）は、中温再生器（２０４）から高温再生器（２０２）に向う吸収溶液ラインの高温溶液熱交換器（３０４）と高温再生器（２０２）の間の領域（２５２）に介装され、
第２の蒸気ドレン熱交換器（２２２）は、中温再生器（２０４）から高温再生器（２０２）に向う吸収溶液ラインの第２の分岐吸収溶液ライン（２７６）の分岐部（２７２）と高温溶液熱交換器（３０４）の間における第１の分岐点（２４６Ｂ）で分岐する第１の分岐ライン（２５０）に介装されており、該第１の分岐ライン（２５０）は高温溶液熱交換器（３０４）をバイパスし且つ高温溶液熱交換器（３０４）と第１の蒸気ドレン熱交換器（２２０）の間の第１の合流点（２４６Ｇ）で中温再生器（２０４）から高温再生器（２０２）に向う吸収溶液ラインと合流し、
第３の蒸気ドレン熱交換器（２２４）は、中温再生器（２０４）から高温再生器（２０２）に向う吸収溶液ラインの第２の分岐吸収溶液ライン（２７６）の分岐部（２７２）と第１の分岐点（２４６Ｂ）との間の領域に介装され、
第４の蒸気ドレン熱交換器（２２４Ｂ）は、低温再生器（２０６）から中温再生器（２０４）に向う吸収溶液ライン（３８４）の中温溶液熱交換器（３０２）と中温再生器（２０４）との間の領域に介装され、
第５の蒸気ドレン熱交換器（２２６）は、低温再生器（２０６）から中温再生器（２０４）に向う吸収溶液ラインの第１の分岐吸収溶液ライン（２６８）の分岐部（２６４）と中温溶液熱交換器（３０２）の間における第２の分岐点（２４０Ｂ）で分岐する第２の分岐ライン（２４４）に介装されており、該第２の分岐ライン（２４４）は中温溶液熱交換器（３０２）をバイパスし且つ中温溶液熱交換器（３０２）と第４の蒸気ドレン熱交換器（２２４Ｂ）の間の第２の合流点（２４２Ｇ）で低温再生器（２０６）から中温再生器（２０４）に向う吸収溶液ラインと合流し、
第６の蒸気ドレン熱交換器（２２８Ａ）は、低温再生器（２０６）から中温再生器（２０４）に向う吸収溶液ラインの第１の分岐吸収溶液ライン（２６８）の分岐部（２６４）と第２の分岐点（２４０Ｂ）との間の領域に介装され、
第７の蒸気ドレン熱交換器（２２８Ｂ）は、吸収器（２０８）から低温再生器（２０６）に向う吸収溶液ラインの低温溶液熱交換器（３００）と低温再生器（２０６）との間の領域（３８２）に介装され、
第８の蒸気ドレン熱交換器（２３０）は、吸収器（２０８）から低温再生器（２０６）に向う吸収溶液ラインの吸収溶液ポンプ（１０２）と低温溶液熱交換器（３００）の間における第３の分岐点（２３４Ｂ）で分岐する第３の分岐ライン（２３８）に介装されており、該第３の分岐ライン（２３８）は低温溶液熱交換器（３００）をバイパスし且つ低温溶液熱交換器（３００）と第７の蒸気ドレン熱交換器（２２８Ｂ）の間の第３の合流点（２３６Ｇ）で吸収器（２０８）から低温再生器（２０６）に向う吸収溶液ラインと合流し、
第９の蒸気ドレン熱交換器（２３２）は、吸収器（２０８）から低温再生器（２０６）に向う吸収溶液ラインの吸収溶液ポンプ（１０２）と第３の分岐点（２３４Ｂ）との間の領域（２３５）に介装されており、
第１〜第９の蒸気ドレン熱交換器（２２０、２２２、２２４、２２４Ｂ、２２６、２２８Ａ、２２８Ｂ、２３０、２３２）は、高温再生器（２０２）内の吸収溶液に熱量を投入した後に前記加熱用蒸気或いは蒸気ドレンが保有する熱量を、吸収器（２０８）から出て高温再生器（２０２）に向う吸収溶液に投入する様に構成されていることを特徴としている（請求項４：図４）。
【００１１】
或いは、本発明の蒸気焚き吸収冷温水機は、高温再生器（２０２）と、中温再生器（２０４）と、低温再生器（２０６）と、吸収器（２０８）と、凝縮器（２１０）と、蒸発器（２１２）とを有し、高温再生器（２０２）には加熱用蒸気ライン（２１４、２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から出た吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ライン（３１４）を流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ライン（３１６）を流れる吸収溶液が保有する熱量を高温再生器（２０２）に向う吸収溶液に投入する様に構成され、
吸収器（２０８）から高温再生器（２０２）に連通する吸収溶液ライン（２８２、２８４、２８６）が、低温溶液熱交換器（３００）と中温溶液熱交換器（３０２）との間の領域で低温再生器（２０６）に連通する第１の分岐吸収溶液ライン（３０６）が分岐（３０８）しており、中温溶液熱交換器（３０２）と高温溶液熱交換器（３０４）との間の領域で中温再生器（２０４）に連通する第２の分岐吸収溶液ライン（３１０）が分岐（３１１）しており、高温再生器（２０２）から吸収器（２０８）に向かう吸収溶液ライン（３１２、３１４、３１６）には、中温再生器（２０４）で加熱された吸収溶液が流れる吸収溶液ライン（３１８）が合流（３２０）しており、且つ、低温再生器（２０６）で加熱された吸収溶液が流れる吸収溶液ライン（３２２）が合流（３２４）しており、
前記加熱用蒸気ライン（２１４、２１４Ａ）の高温再生器（２０２）を経由した領域（２１４Ａ）は第１〜第９の蒸気ドレン熱交換器（２２０、２２２、２２３Ａ、２２４、２２６、２２７、２２８、２３０、２３２）に連通しており、
第１の蒸気ドレン熱交換器（２２０）は、高温再生器（２０２）に向う吸収溶液ラインの高温溶液熱交換器（３０４）と高温再生器（２０２）の間の領域（２５２）に介装され、
第２の蒸気ドレン熱交換器（２２２）は、高温再生器（２０２）に向う吸収溶液ラインの第２の分岐吸収溶液ライン（３１０）の分岐部（３１１）と高温溶液熱交換器（３０４）の間における第１の分岐点（２４６Ｂ）で分岐する第１の分岐ライン（２５０）に介装されており、該第１の分岐ライン（２５０）は高温溶液熱交換器（３０４）をバイパスし且つ高温溶液熱交換器（３０４）と第１の蒸気ドレン熱交換器（２２０）の間の第１の合流点（２４６Ｇ）で高温再生器（２０２）に向う吸収溶液ラインと合流し、
第３の蒸気ドレン熱交換器（２２３Ａ）は、高温再生器（２０２）に向う吸収溶液ラインの第２の分岐吸収溶液ライン（３１０）の分岐部（３１１）と第１の分岐点（２４６Ｂ）との間の領域（２８６）に介装され、
第４の蒸気ドレン熱交換器（２２４）は、高温再生器（２０２）に向う吸収溶液ラインの中温溶液熱交換器（３０２）と第２の分岐吸収溶液ライン（３１０）の分岐部（３１１）との間の領域に介装され、
第５の蒸気ドレン熱交換器（２２６）は、高温再生器（２０２）に向う吸収溶液ラインの第１の分岐吸収溶液ライン（３０６）の分岐部（３０８）と中温溶液熱交換器（３０２）の間における第２の分岐点（２４０Ｂ）で分岐する第２の分岐ライン（２４４）に介装されており、該第２の分岐ライン（２４４）は中温溶液熱交換器（３０２）をバイパスし且つ中温溶液熱交換器（３０２）と第４の蒸気ドレン熱交換器（２２４）の間の第２の合流点（２４２Ｇ）で高温再生器（２０２）に向う吸収溶液ラインと合流し、
第６の蒸気ドレン熱交換器（２２７）は、高温再生器（２０２）に向う吸収溶液ラインの第１の分岐吸収溶液ライン（３０６）の分岐部（３０８）と第２の分岐点（２４０Ｂ）との間の領域（２８４）に介装され、
第７の蒸気ドレン熱交換器（２２８）は、高温再生器（２０２）に向う吸収溶液ラインの低温溶液熱交換器（３００）と第１の分岐吸収溶液ライン（３０６）の分岐部（３０８）との間の領域に介装され、
第８の蒸気ドレン熱交換器（２３０）は、高温再生器（２０２）に向う吸収溶液ラインの吸収溶液ポンプ（１０２）と低温溶液熱交換器（３００）の間における第３の分岐点（２８２Ｂ）で分岐する第３の分岐ライン（２８３）に介装されており、該第３の分岐ライン（２８３）は低温溶液熱交換器（３００）をバイパスし且つ低温溶液熱交換器（３００）と第７の蒸気ドレン熱交換器（２２８）の間の第３の合流点（２８３Ｇ）で高温再生器（２０２）に向う吸収溶液ラインと合流し、
第９の蒸気ドレン熱交換器（２３２）は、高温再生器（２０２）に向う吸収溶液ラインの吸収溶液ポンプ（１０２）と第３の分岐点（２８２Ｂ）との間の領域（２３５）に介装されており、
第１〜第９の蒸気ドレン熱交換器（２２０、２２２、２２３Ａ、２２４、２２６、２２７、２２８、２３０、２３２）は、高温再生器（２０２）内の吸収溶液に熱量を投入した後に前記加熱用蒸気或いは蒸気ドレンが保有する熱量を、吸収器（２０８）から出て高温再生器（２０２）に向う吸収溶液に投入する様に構成されていることを特徴としている（請求項５：図５）。
【００１２】
本発明の蒸気焚き吸収冷温水機は、高温再生器（２０２）と、中温再生器（２０４）と、低温再生器（２０６）と、吸収器（２０８）と、凝縮器（２１０）と、蒸発器（２１２）とを有し、高温再生器（２０２）には加熱用蒸気ライン（２１４、２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から出た吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ライン（３１４）を流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ライン（３１６）を流れる吸収溶液が保有する熱量を高温再生器（２０２）に向う吸収溶液に投入する様に構成され、
吸収器（２０８）から高温再生器（２０２）に連通する吸収溶液ライン（２８２、２８４、２８６）が、低温溶液熱交換器（３００）と中温溶液熱交換器（３０２）との間の領域で低温再生器（２０６）に連通する第１の分岐吸収溶液ライン（３０６）が分岐（３０８）しており、中温溶液熱交換器（３０２）と高温溶液熱交換器（３０４）との間の領域で中温再生器（２０４）に連通する第２の分岐吸収溶液ライン（３１０）が分岐（３１１）しており、高温再生器（２０２）から吸収器（２０８）に向かう吸収溶液ライン（３１２、３１４、３１６）には、中温再生器（２０４）で加熱された吸収溶液が流れる吸収溶液ライン（３１８）が合流（３２０）しており、且つ、低温再生器（２０６）で加熱された吸収溶液が流れる吸収溶液ライン（３２２）が合流（３２４）しており、
前記加熱用蒸気ライン（２１４、２１４Ａ）の高温再生器（２０２）を経由した領域（２１４Ａ）は第１〜第３の蒸気ドレン熱交換器（２２０、２３２、２２７Ｃ）に連通しており、
第１の蒸気ドレン熱交換器（２２０）は、高温再生器（２０２）に向う吸収溶液ラインの高温溶液熱交換器（３０４）と高温再生器（２０２）の間の領域（２５２）に介装され、
第２の蒸気ドレン熱交換器（２３２）は、高温再生器（２０２）に向う吸収溶液ラインの吸収溶液ポンプ（１０２）と低温溶液熱交換器（３００）との間の領域（２８２）に介装されており、
第３の蒸気ドレン熱交換器（２２７Ｃ）は、高温再生器（２０２）に向う吸収溶液ラインの吸収溶液ポンプ（１０２）と低温溶液熱交換器（３００）との間の領域（２８２）における分岐点（２８２Ｂ）で分岐する分岐ライン（２５１Ｓ）に介装されており、該分岐ライン（２５１Ｓ）は低温溶液熱交換器（３００）、中温溶液熱交換器（３０２）、高温溶液熱交換器（３０４）をバイパスし且つ高温溶液熱交換器（３０４）と第１の蒸気ドレン熱交換器（２２０）の間の合流点（２８７Ｇ）で高温再生器（２０２）に向う吸収溶液ラインと合流し、
第１〜第３の蒸気ドレン熱交換器（２２０、２３２、２２７Ｃ）は、高温再生器（２０２）内の吸収溶液に熱量を投入した後に前記加熱用蒸気或いは蒸気ドレンが保有する熱量を、吸収器（２０８）から出て高温再生器（２０２）に向う吸収溶液に投入する様に構成されていることを特徴としている（請求項６：図６）。
【００１３】
また、本発明の蒸気焚き吸収冷温水機は、高温再生器（２０２）と、中温再生器（２０４）と、低温再生器（２０６）と、吸収器（２０８）と、凝縮器（２１０）と、蒸発器（２１２）とを有し、高温再生器（２０２）には加熱用蒸気ライン（２１４、２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から中温再生器（２０４）へ向う吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ライン（３１８）を流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ライン（３２２）を流れる吸収溶液が保有する熱量を高温再生器（２０２）に向う吸収溶液に投入する様に構成され、
吸収器（２０８）から高温再生器（２０２）に連通する吸収溶液ライン（２８２、２８６）が、低温溶液熱交換器（３００）と中温溶液熱交換器（３０２）との間の領域で低温再生器（２０６）に連通する第１の分岐吸収溶液ライン（３０６）が分岐（３０８）しており、中温溶液熱交換器（３０２）と高温溶液熱交換器（３０４）との間の領域で中温再生器（２０４）に連通する第２の分岐吸収溶液ライン（３１０）が分岐（３１１）しており、高温再生器（２０２）で加熱された吸収溶液が流れる吸収溶液ライン（３４０）は中温再生器（２０４）に連通しており、中温再生器（２０４）で加熱された吸収溶液が流れる吸収溶液ライン（３１８）は第１の分岐吸収溶液ライン（３０６）に合流して低温再生器（２０６）に連通しており、
前記加熱用蒸気ライン（２１４、２１４Ａ）の高温再生器（２０２）を経由した領域（２１４Ａ）は第１〜第９の蒸気ドレン熱交換器（２２０、２２２、２２３Ａ、２２４、２２６、２２７、２２８、２３０、２３２）に連通しており、
第１の蒸気ドレン熱交換器（２２０）は、高温再生器（２０２）に向う吸収溶液ラインの高温溶液熱交換器（３０４）と高温再生器（２０２）の間の領域（２５２）に介装され、
第２の蒸気ドレン熱交換器（２２２）は、高温再生器（２０２）に向う吸収溶液ラインの第２の分岐吸収溶液ライン（３１０）の分岐部（３１１）と高温溶液熱交換器（３０４）の間における第１の分岐点（２４６Ｂ）で分岐する第１の分岐ライン（２５０）に介装されており、該第１の分岐ライン（２５０）は高温溶液熱交換器（３０４）をバイパスし且つ高温溶液熱交換器（３０４）と第１の蒸気ドレン熱交換器（２２０）の間の第１の合流点（２４６Ｇ）で高温再生器（２０２）に向う吸収溶液ラインと合流し、
第３の蒸気ドレン熱交換器（２２３Ａ）は、高温再生器（２０２）に向う吸収溶液ラインの第２の分岐吸収溶液ライン（３１０）の分岐部（３１１）と第１の分岐点（２４６Ｂ）との間の領域（２８６）に介装され、
第４の蒸気ドレン熱交換器（２２４）は、高温再生器（２０２）に向う吸収溶液ラインの中温溶液熱交換器（３０２）と第２の分岐吸収溶液ライン（３１０）の分岐部（３１１）との間の領域に介装され、
第５の蒸気ドレン熱交換器（２２６）は、高温再生器（２０２）に向う吸収溶液ラインの第１の分岐吸収溶液ライン（３０６）の分岐部（３０８）と中温溶液熱交換器（３０２）の間における第２の分岐点（２４０Ｂ）で分岐する第２の分岐ライン（２４４）に介装されており、該第２の分岐ライン（２４４）は中温溶液熱交換器（３０２）をバイパスし且つ中温溶液熱交換器（３０２）と第４の蒸気ドレン熱交換器（２２４）の間の第２の合流点（２４２Ｇ）で高温再生器（２０２）に向う吸収溶液ラインと合流し、
第６の蒸気ドレン熱交換器（２２７）は、高温再生器（２０２）に向う吸収溶液ラインの第１の分岐吸収溶液ライン（３０６）の分岐部（３０８）と第２の分岐点（２４０Ｂ）との間の領域に介装され、
第７の蒸気ドレン熱交換器（２２８）は、高温再生器（２０２）に向う吸収溶液ラインの低温溶液熱交換器（３００）と第１の分岐吸収溶液ライン（３０６）の分岐部（３０８）との間の領域に介装され、
第８の蒸気ドレン熱交換器（２３０）は、高温再生器（２０２）に向う吸収溶液ラインの吸収溶液ポンプ（１０２）と低温溶液熱交換器（３００）の間における第３の分岐点（２８２Ｂ）で分岐する第３の分岐ライン（２８３）に介装されており、該第３の分岐ライン（２８３）は低温溶液熱交換器（３００）をバイパスし且つ低温溶液熱交換器（３００）と第７の蒸気ドレン熱交換器（２２８）の間の第３の合流点（２８３Ｇ）で高温再生器（２０２）に向う吸収溶液ラインと合流し、
第９の蒸気ドレン熱交換器（２３２）は、高温再生器（２０２）に向う吸収溶液ラインの吸収溶液ポンプ（１０２）と第３の分岐点（２８２Ｂ）との間の領域（２３５）に介装されており、
第１〜第９の蒸気ドレン熱交換器（２２０、２２２、２２３Ａ、２２４、２２６、２２７、２２８、２３０、２３２）は、高温再生器（２０２）内の吸収溶液に熱量を投入した後に前記加熱用蒸気或いは蒸気ドレンが保有する熱量を、吸収器（２０８）から出て高温再生器（２０２）に向う吸収溶液に投入する様に構成されていることを特徴としている（請求項７：図７）。
【００１４】
そして本発明の蒸気焚き吸収冷温水機は、高温再生器（２０２）と、中温再生器（２０４）と、低温再生器（２０６）と、吸収器（２０８）と、凝縮器（２１０）と、蒸発器（２１２）とを有し、高温再生器（２０２）には加熱用蒸気ライン（２１４、２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から中温再生器（２０４）へ向う吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ラインを流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ラインを流れる吸収溶液が保有する熱量を高温再生器（２０２）に向う吸収溶液に投入する様に構成され、
吸収器（２０８）から高温再生器（２０２）に連通する吸収溶液ライン（２８２、２８６）が、低温溶液熱交換器（３００）と中温溶液熱交換器（３０２）との間の領域で低温再生器（２０６）に連通する第１の分岐吸収溶液ライン（３０６）が分岐（３０８）しており、中温溶液熱交換器（３０２）と高温溶液熱交換器（３０４）との間の領域で中温再生器（２０４）に連通する第２の分岐吸収溶液ライン（３１０）が分岐（３１１）しており、高温再生器（２０２）で加熱された吸収溶液が流れる吸収溶液ライン（３４０）は中温再生器（２０４）に連通しており、中温再生器（２０４）で加熱された吸収溶液が流れる吸収溶液ラインは第１の分岐吸収溶液ライン（３０６）に合流して低温再生器（２０６）に連通しており、
前記加熱用蒸気ライン（２１４、２１４Ａ）の高温再生器（２０２）を経由した領域（２１４Ａ）は第１〜第３の蒸気ドレン熱交換器（２２０、２３２、２２７Ｃ）に連通しており、
第１の蒸気ドレン熱交換器（２２０）は、高温再生器（２０２）に向う吸収溶液ラインの高温溶液熱交換器（３０４）と高温再生器（２０２）の間の領域（２５２）に介装され、
第２の蒸気ドレン熱交換器（２３２）は、高温再生器（２０２）に向う吸収溶液ラインの吸収溶液ポンプ（１０２）と低温溶液熱交換器（３００）との間の領域に介装されており、
第３の蒸気ドレン熱交換器（２２７Ｃ）は、高温再生器（２０２）に向う吸収溶液ラインの吸収溶液ポンプ（１０２）と低温溶液熱交換器（３００）との間の領域における分岐点（２８２Ｂ）で分岐する分岐ライン（２５１Ｓ）に介装されており、該分岐ライン（２５１Ｓ）は低温溶液熱交換器（３００）、中温溶液熱交換器（３０２）、高温溶液熱交換器（３０４）をバイパスし且つ高温溶液熱交換器（３０４）と第１の蒸気ドレン熱交換器（２２０）の間の合流点（２８７Ｇ）で高温再生器（２０２）に向う吸収溶液ラインと合流し、
第１〜第３の蒸気ドレン熱交換器（２２０、２３２、２２７Ｃ）は、高温再生器（２０２）内の吸収溶液に熱量を投入した後に前記加熱用蒸気或いは蒸気ドレンが保有する熱量を、吸収器（２０８）から出て高温再生器（２０２）に向う吸収溶液に投入する様に構成されていることを特徴としている（請求項８：図８）。
【００１５】
かかる構成を具備する本発明によれば、前記加熱用蒸気ライン（２１４、２１４Ａ）は高温再生器（２０２）に連通してから蒸気ドレン熱交換器（２２０、２２２、２２４、２２６、２２８、２３０、２３２）に連通しており、該蒸気ドレン熱交換器（２２０、２２２、２２４、２２６、２２８、２３０、２３２）は、高温再生器（２０２）内の吸収溶液に熱量を投入した後に前記加熱用蒸気或いは蒸気ドレンが保有する熱量が、吸収器（２０８）から出て再生器（２０２、２０４、２０６）に連通する吸収溶液ライン（２３４、２３８、２４０、２４４、２４６、２５０、２５２）を流過する吸収溶液（再生器に供給される吸収溶液）に投入される様に構成されている。
すなわち、従来技術では系外へ排出されていた蒸気ドレンが保有する熱量が、再生器（２０２、２０４、２０６）に向けて流れている吸収溶液（再生器に供給される吸収溶液）に投入されて、該吸収溶液の顕熱上昇に有効利用される。
【００１６】
そして、再生器（２０２、２０４、２０６）に供給される吸収溶液の液温が昇温する（顕熱上昇）結果として、再生器（２０２、２０４、２０６）で投入される熱量が同一であれば、冷媒蒸気（水蒸気）の再生量が増大し、吸収冷温水機の効率が向上するのである。
【００１７】
【発明の実施の形態】
以下、添付図面を参照して、本発明を３重効用蒸気焚き吸収冷温水機に適用した実施形態を説明する。なお、添付図面において、同様な部材には同様な符号を付して、部材名称と符号の重複説明を省略している。
【００１８】
図１は、第１の実施形態であるシリーズフロータイプ吸収冷温水機Ｓ１の構成を示している。
【００１９】
吸収器２０８と高温再生器２０２は、ポンプ１０２を介した吸収溶液ライン２３４で連通され、高温再生器２０２と中温再生器２０４とは吸収溶液ライン１０４と、第１の冷媒蒸気ライン２１６で連通されている。
第１の冷媒蒸気ライン２１６は、ライン内を通過する冷媒蒸気が保有する熱量が、中温再生器２０４内の吸収溶液に投入されて冷媒蒸気が再生されるよう構成されている。
【００２０】
中温再生器２０４と低温再生器２０６とは吸収溶液ライン１０６と第２の冷媒蒸気ライン２１８で連通されている。
第２の冷媒蒸気ライン２１８は、ライン内を通過する冷媒蒸気が保有する熱量が、低温再生器２０６内の吸収溶液に投入されて冷媒蒸気が再生されるよう構成されている。
【００２１】
低温再生器２０６と吸収器２０８は、吸収溶液ライン１０８で連通されている。
吸収溶液ライン１０４に高温溶液熱交換器３０４が介装され、吸収溶液ライン１０６に中温溶液熱交換器３０２が介装され、吸収溶液ライン１０８に低温溶液熱交換器３００が介装されている。
【００２２】
高温溶液熱交換器３０４、中温溶液熱交換器３０２及び低温溶液熱交換器３００は、いづれも吸収溶液ライン２３４と熱的に接触し、吸収溶液ライン２３４に伝熱させるよう構成されている。
【００２３】
高温再生器２０２に、外部熱源に通じる加熱用蒸気ライン２１４が連通され、加熱用蒸気ライン２１４は高温再生器２０２を加熱経由してライン２１４Ａとなって次記する各蒸気ドレン熱交換器に接続されて蒸気供給源に戻るよう連通されている。
【００２４】
蒸気ドレン熱交換器２２０は、吸収溶液ライン２３４の高温溶液熱交換器３０４と高温再生器２０２との間の領域２５２に、ライン２１４Ａと熱的に接触して介装されている。
【００２５】
蒸気ドレン熱交換器２２２は、吸収溶液ライン２３４の高温溶液熱交換器３０４を分岐部２４６Ｂと合流部２４６Ｇでバイパスする領域２５０に、ライン２１４Ａと熱的に接触して介装されている。
【００２６】
蒸気ドレン熱交換器２２４は、吸収溶液ライン２３４の高温溶液熱交換器３０４と中温溶液熱交換器３０２との間の領域２４６に、ライン２１４Ａと熱的に接触して介装されている。
【００２７】
蒸気ドレン熱交換器２２６は、吸収溶液ライン２３４の中温溶液熱交換器３０２を分岐部２４０Ｂと合流部２４２Ｇでバイパスする領域２４４に、ライン２１４Ａと熱的に接触して介装されている。
【００２８】
蒸気ドレン熱交換器２２８は、吸収溶液ライン２３４の中温溶液熱交換器３０２と低温溶液熱交換器３００との間の領域２４０に、ライン２１４Ａと熱的に接触して介装されている。
【００２９】
蒸気ドレン熱交換器２３０は、吸収溶液ライン２３４の低温溶液熱交換器３００を分岐部２３４Ｂと合流部２３６Ｇでバイパスする領域２３８に、ライン２１４Ａと熱的に接触して介装されている。
【００３０】
蒸気ドレン熱交換器２３２は、吸収溶液ライン２３４の低温溶液熱交換器３００と吸収器２０８との間の領域２３５に、ライン２１４Ａと熱的に接触して介装されている。
【００３１】
上記各蒸気ドレン熱交換器２２０、２２２、２２４、２２６、２２８、２３０、２３２は、これらを経由するドレンの温度が、熱的に対となる吸収溶液ライン２３４の温度より高温であることが必要条件である。したがって、吸収冷温水機Ｓ１の温度状況、空調負荷、加熱蒸気の温度、外気条件等によって、各蒸気ドレン熱交換器２２０、２２２、２２４、２２６、２２８、２３０、２３２の何れか１つあるいは全数を含む何れか複数が介装されている。
【００３２】
上記吸収冷温水機Ｓ１の作用を、各蒸気ドレン熱交換器２２０、２２２、２２４、２２６、２２８、２３０、２３２の全てが介装されている例について説明する。
【００３３】
吸収器２０８からポンプ１０２で吸収溶液ライン２３４に吐出された冷媒を含む低温の稀釈吸収溶液Ｌｉは、蒸気ドレン熱交換器２３２で加熱され昇温し、分岐部２３４Ｂで分岐して一方は領域２３８を通過して蒸気ドレン熱交換器２３０で加熱され昇温し、分岐部２３４で直行の他方の吸収溶液Ｌｉは低温溶液熱交換器３００を通過して加熱され昇温し、合流部２３６Ｇで合流する。
【００３４】
なお、分岐部２３４Ｂでの吸収溶液Ｌｉの分岐割合は、低温溶液熱交換器３００からの受熱と、蒸気ドレン熱交換器２３０からの受熱の合計熱量が最大となって合流部２３６Ｇでの吸収溶液Ｌｉ温度が最大になるように配分される。
【００３５】
合流部２３６Ｇを通過した吸収溶液Ｌｉは、蒸気ドレン熱交換器２２８を通過して加熱され昇温し、分岐部２４０Ｂで分岐して一方は領域２４４を通過して蒸気ドレン熱交換器２２６で加熱され昇温し、分岐部２４０Ｂで直行の他方の吸収溶液Ｌｉは中温溶液熱交換器３０２を通過して加熱され昇温し、合流部２４２Ｇで合流する。分岐部２４０Ｂでの吸収溶液Ｌｉの分岐割合は、分岐部２３４Ｂでの分岐と同じ要領である。
【００３６】
合流部２４２Ｇを通過した吸収溶液Ｌｉは、蒸気ドレン熱交換器２２４を通過して加熱され昇温し、分岐部２４６Ｂで分岐して一方は領域２５０を通過して蒸気ドレン熱交換器２２２で加熱され昇温し、分岐部２４６Ｂで直行の他方の吸収溶液Ｌｉは高温溶液熱交換器３０４を通過して加熱され昇温し、合流部２４６Ｇで合流する。分岐部２４６Ｂでの吸収溶液Ｌｉの分岐割合は、分岐部２３４Ｂでの分岐と同じ要領である。
【００３７】
合流部２４６Ｇを通過した吸収溶液Ｌｉは、蒸気ドレン熱交換器２２０を通過して加熱され昇温し、高温再生器２０２に導入される。
【００３８】
冷媒溶液を含んだ稀釈吸収溶液Ｌｉは、高温再生器２０２で加熱用蒸気ライン２１４による蒸気Ｓｔにより加熱され、冷媒溶液を蒸気として分離され濃縮された濃縮吸収溶液Ｌｉは、吸収溶液ライン１０４によって高温溶液熱交換器３０４で放熱し中温再生器２０４に導入される。
【００３９】
濃縮吸収溶液Ｌｉは、中温再生器２０４で第１の冷媒蒸気ライン２１６からの冷媒蒸気によって加熱され、さらに冷媒溶液を蒸気として分離され濃縮された濃縮溶液Ｌｉは、吸収溶液ライン１０６に向かう。
吸収溶液ライン１０６に導かれた吸収溶液Ｌｉは、中温溶液熱交換器３０２で放熱し低温再生器２０６に導入される。
低温再生器２０６に導入された濃縮吸収溶液Ｌｉは冷媒溶液を蒸気として分離され一層濃縮されて、吸収溶液ライン１０８に導かれ低温溶液熱交換器３００で放熱し、吸収器２０８に戻る。
【００４０】
一方、高温再生器２０２で蒸発分離された冷媒ｈ２は、第１の冷媒蒸気ライン２１６を介して中温再生器２０４で放熱して濃縮吸収溶液Ｌｉをさらに加熱し、凝縮器２１０に向かう。また、中温再生器２０４で蒸発分離された冷媒ｈ３は、低温再生器２０６で放熱して濃縮吸収溶液Ｌｉを加熱し、第１の冷媒蒸気ライン２１６に合流して凝縮器２１０に向かう。
【００４１】
凝縮器２１０に導かれた冷媒ｈ２、ｈ３は、凝縮され、蒸発器２１２で蒸発して外部流体と熱交換する。また、吸収器２０８で冷媒が外部流体と熱交換する。
このようにして、加熱用蒸気ライン２１４を介した蒸気の熱量を余すところなく利用して吸収冷温水機Ｓ１の熱効率を向上させる。
【００４２】
図２は、第２の実施形態であるシリーズフロータイプの吸収冷温水機Ｓ４の構成を示している。図１の実施形態と異なる部分を主体に説明する。
高温再生器２０２に、外部熱源に通じる加熱用蒸気ライン２１４が連通され、加熱用蒸気ライン２１４は高温再生器２０２を加熱経由してライン２１４Ａとなって次記する蒸気ドレン熱交換器に接続されて蒸気供給源に連通されている。
【００４３】
蒸気ドレン熱交換器２２５は、吸収溶液ライン２３４の蒸気ドレン熱交換器２２０と高温溶液熱交換器３０４との間と、低温溶液熱交換器３００と蒸気ドレン熱交換器２３２との間を、分岐部２３４Ｂと合流部２４６Ｇでバイパスする領域２３６Ｑに、ライン２１４Ａと熱的に接触して介装されている。
【００４４】
蒸気ドレン熱交換器２２５の前後に装着されている蒸気ドレン２３２と２２０への蒸気ドレン熱交換器２２５の連通関係は、実質的に前記図１の実施形態と同じである。即ち、図１における蒸気ドレン熱交換器２３０、２２８、２２６、２２２に代えて、蒸気ドレン熱交換器２２５を介装した状態である。
上記を除いては、前記図１の構成と同じである。
【００４５】
上記吸収冷温水機Ｓ４の作用を、蒸気ドレン熱交換器２２５が介装されている周辺を主体にして説明する。
吸収器２０８からポンプ１０２で吸収溶液ライン２３４に吐出された冷媒を含む低温の稀釈吸収溶液Ｌｉは、蒸気ドレン熱交換器２３２で加熱され昇温し、分岐部２３４Ｂで分岐して、一方は領域２３６Ｑを通過して蒸気ドレン熱交換器２２５で加熱され昇温し、分岐部２３４Ｂで直行の他方の吸収溶液Ｌｉは低温溶液熱交換器３００、中低温溶液熱交換器３０２及び高温溶液熱交換器３０４を通過して加熱され昇温し、合流部２４６Ｇで合流する。
【００４６】
合流部２４６Ｇを通過した吸収溶液Ｌｉは、蒸気ドレン熱交換器２２０を通過して加熱され昇温して高温再生器２０２方向に向かう。
上記のようにして、吸収冷温水器の配熱特性に応じて、蒸気ドレン熱交換器の個数を少数にして、かつ熱効率を向上させる。
【００４７】
図３は、第３の実施形態であるリバースフロータイプの吸収冷温水機ＲＳ５の構成を示している。図１の実施形態と異なる部分を主体に説明する。
稀釈吸収溶液の往路を構成する吸収器２０８と低温再生器２０６は、ポンプ１０２を介した吸収溶液ライン２３４、２３５、２３６、３８２で連通され、低温再生器２０６と中温再生器２０４とは吸収溶液ライン３８４、２４２、３８４で連通され、中温再生器２０４と高温再生器２０２とは吸収溶液ライン３８６、２４８、２５２でで連通されている。
【００４８】
濃縮吸収溶液の復路を構成する高温再生器２０２と吸収器２０８は、吸収溶液ライン１１０で連通されている。
吸収溶液ライン１１０には高温再生器２０２側から高温溶液熱交換器３０４、中温溶液熱交換器３０２、低温溶液熱交換器３００が介装されている。
【００４９】
吸収溶液ライン３８６と２５２間の領域２４８は、高温溶液熱交換器３０４を貫通して熱的に接触されている。領域２４８に、分岐部２４６Ｂと合流部２４６Ｇで高温溶液熱交換器３０４をバイパスする領域２５０が連通されている。
【００５０】
吸収溶液ライン３８４の中間部領域２４２は、中温溶液熱交換器３０２を貫通して熱的に接触されている。領域２４２に、分岐部２４０Ｂと合流部２４２Ｇで中温溶液熱交換器３０２をバイパスする領域２４４が連通されている。
【００５１】
吸収溶液ライン２３４と３８２の中間部領域２３６は、低温溶液熱交換器３００を貫通して熱的に接触されている。領域２３６に、分岐部２３４Ｂと合流部２３６Ｇで低温溶液熱交換器３００をバイパスする領域２３８が連通されている。
【００５２】
高温溶液熱交換器３０４、中温溶液熱交換器３０２及び低温溶液熱交換器３００は、それぞれ濃縮吸収溶液から稀釈吸収溶液に熱的に接触し、稀釈吸収溶液に伝熱させるよう構成されている。
【００５３】
高温再生器２０２に、外部熱源に通じる加熱用蒸気ライン２１４が連通され、加熱用蒸気ライン３１４は高温再生器２０２を加熱経由してライン２１４Ａとなって次記する各蒸気ドレン熱交換器に接続されて蒸気供給源に連通されている。
【００５４】
蒸気ドレン熱交換器２２０は、高温溶液熱交換器３０４と高温再生器２０２との間の領域２５２に、ライン２１４Ａと熱的に接触して介装されている。
【００５５】
蒸気ドレン熱交換器２２２は、高温溶液熱交換器３０４をバイパスする領域２５０に、ライン２１４Ａと熱的に接触して介装されている。
蒸気ドレン熱交換器２２４Ａは、高温溶液熱交換器３０４と中温再生器２０４との間の領域３８６に、ライン２１４Ａと熱的に接触して介装されている。
【００５６】
蒸気ドレン熱交換器２２４Ｂは、中温再生器２０４と中温溶液熱交換器３０２との間の領域３８４に、ライン２１４Ａと熱的に接触して介装されている。
【００５７】
蒸気ドレン熱交換器２２６は、中温溶液熱交換器３０２をバイパスする領域２４４に、ライン２１４Ａと熱的に接触して介装されている。
【００５８】
蒸気ドレン熱交換器２２８Ａは、中温溶液熱交換器３０２と低温再生器２０６との間の領域３８４に、ライン２１４Ａと熱的に接触して介装されている。
【００５９】
蒸気ドレン熱交換器２２８Ｂは、低温再生器２０６と低温溶液熱交換器３００との間の領域３８２に、ライン２１４Ａと熱的に接触して介装されている。
蒸気ドレン熱交換器２３０は、低温溶液熱交換器３００をバイパスする領域２３８に、ライン２１４Ａと熱的に接触して介装されている。
【００６０】
蒸気ドレン熱交換器２３２は、吸収器２０８と低温溶液熱交換器３００との間の領域２３５に、ライン２１４Ａと熱的に接触して介装されている。
【００６１】
上記各蒸気ドレン熱交換器２２０、２２２、２２４Ａ、２２４Ｂ、２２６、２２８Ａ、２２８Ｂ、２３０、２３２は、これらを経由するドレンの温度が、熱的に対となる吸収溶液の温度より高温であることが必要条件である。したがって、吸収冷温水機ＲＳ５の温度状況、空調負荷、加熱蒸気の温度、外気条件等によって、各蒸気ドレン熱交換器２２０、２２２、２２４Ａ、２２４Ｂ、２２６、２２８Ａ、２２８Ｂ、２３０、２３２の何れか１つあるいは全数を含む何れか複数が介装されている。
上記以外の冷媒蒸気ライン等は、図１と同じである。
【００６２】
上記吸収冷温水機ＲＳ５の作用を、各蒸気ドレン熱交換器２２０、２２２、２２４Ａ、２２４Ｂ、２２６、２２８Ａ、２２８Ｂ、２３０、２３２の全てが介装されている例について説明する。
【００６３】
吸収器２０８からポンプ１０２で吸収溶液ライン２３４に吐出された冷媒を含む低温の稀釈吸収溶液Ｌｉは、蒸気ドレン熱交換器２３２で加熱され昇温し、分岐部２３４Ｂで分岐して一方は領域２３８を通過して蒸気ドレン熱交換器２３０で加熱され昇温し、分岐部２３４Ｂで直行の他方の吸収溶液Ｌｉは低温溶液熱交換器３００を通過して加熱され昇温し、合流部２３６Ｇで合流する。
【００６４】
なお、分岐部２３４Ｂでの吸収溶液Ｌｉの分岐割合は、低温溶液熱交換器３００からの受熱と、蒸気ドレン熱交換器２３０からの受熱の合計熱量が最大となって合流部２３６Ｇでの吸収溶液Ｌｉ温度が最大になるように配分される。
【００６５】
合流部２３６Ｇを通過した稀釈吸収溶液Ｌｉは、蒸気ドレン熱交換器２２８Ｂを通過して加熱され昇温し、低温再生器２０６に導入される。
低温再生器２０６で加熱され昇温した稀釈吸収溶液Ｌｉは吸収溶液ライン３８４を介して蒸気ドレン熱交換器２２８Ａで加熱され昇温して分岐部２４０Ｂに向かう。そこで分岐した一方の稀釈吸収溶液Ｌｉは領域２４４を通過して蒸気ドレン熱交換器２２６で加熱され昇温し、分岐部２４０Ｂで直行の他方の稀釈吸収溶液Ｌｉは中温溶液熱交換器３０２を通過して加熱され昇温し、合流部２４２Ｇで合流する。
【００６６】
なお、分岐部２４０Ｂでの吸収溶液Ｌｉの分岐割合は、前記分岐部２３４Ｂにおける分岐要領と同様である
【００６７】
合流部２４２Ｇを通過した稀釈吸収溶液Ｌｉは、蒸気ドレン熱交換器２２４Ｂを通過して加熱され昇温し中温再生器２０４で冷媒蒸気に加熱され、冷媒の１部が蒸発分離されて濃縮される。
【００６８】
中温再生器２０４で濃縮された吸収溶液Ｌｉは、溶液ラインの領域３８６を介して蒸気ドレン熱交換器２２４Ａで加熱され昇温して、分岐部２４６Ｂに向かう。
分岐部２４６Ｂで分岐した吸収溶液Ｌｉの一方は領域２５０を通過して蒸気ドレン熱交換器２２２で加熱され昇温し、分岐部２４６Ｂで直行の他方の吸収溶液Ｌｉは高温溶液熱交換器３０４を通過して加熱され昇温し、合流部２４６Ｇで合流する。
【００６９】
なお、分岐部２４６Ｂでの吸収溶液Ｌｉの分岐割合は、前記分岐部２３４Ｂにおける分岐要領と同様である。
【００７０】
合流部２４６Ｇを通過した吸収溶液Ｌｉは、蒸気ドレン熱交換器２２０を通過して加熱され昇温し、高温再生器２０２に導入される。
【００７１】
冷媒溶液を含んだ吸収溶液Ｌｉは、高温再生器２０２で加熱用蒸気ライン２１４による蒸気Ｓｔにより加熱され、冷媒溶液を蒸気として分離される。濃縮された濃縮吸収溶液Ｌｉは、吸収溶液ライン１１０を介して、高温溶液熱交換器３０４、中温溶液熱交換器３０２、低温溶液熱交換器３００で放熱し、吸収器２０８に導入される。
【００７２】
このようにして、加熱用蒸気ライン２１４を介した蒸気の熱量を余すところなく利用して吸収冷温水機ＲＳ５の熱効率を向上させる。
【００７３】
図４は、第４の実施形態であるリバースパラレルタイプの吸収冷温水機ＲＰ６の構成を示している。図５の実施形態と異なる部分を主体に説明する。
低温再生器２０６と中温再生器２０４を連通する吸収溶液ライン２６２の蒸気ドレン熱交換器２２８の手前に分岐部２６４が設けられ、分岐ライン２６８が取りつけられている。分岐ライン２６８は、高温再生器２０２と吸収器２０８を連通する吸収溶液ライン１１０の中温溶液熱交換器３０２と低温溶液熱交換器３００の間に連通されている。
【００７４】
また、中温再生器２０４と高温再生器２０２を連通する吸収溶液ライン２７０の蒸気ドレン２２４の手前に分岐部２７２が設られ、分岐ライン２７６が取りつけられている。分岐ライン２７６は、中温溶液熱交換器３０２と高温溶液熱交換器３０４との間に連通されている。
その他の構成は、図３の吸収冷温水機ＲＳ５と同じである。
【００７５】
上記吸収冷温水機ＲＰ６の作用を、分岐ライン２６８、２７６が取りつけられている周辺を主体にして説明する。
吸収器２０８からポンプ１０２で吸収溶液ライン２３４に吐出された冷媒を含む低温の稀釈吸収溶液Ｌｉは、蒸気ドレン熱交換器２３２、低温溶液熱交換器３００等を通過して加熱され昇温し、低温再生器２０６に導入される。
【００７６】
低温再生器２０６で加熱され少し濃縮された稀釈吸収溶液Ｌｉは吸収溶液ライン２６２の分岐部２６４に向かう。分岐部２６４で分岐された稀釈吸収溶液Ｌｉの一部は、分岐ライン２６８を介して合流部２６６で濃縮吸収溶液Ｌｉの流れる吸収溶液ライン１１０に入り、吸収器２０８に導入される。分岐部２６４を通過した稀釈吸収溶液Ｌｉは蒸気ドレン熱交換器２２８、中温溶液熱交換器３０２等を通過して加熱され昇温し中温再生器２０４に向かう。
【００７７】
中温再生器２０４で加熱され、さらに濃縮された稀釈吸収溶液Ｌｉは、吸収溶液ライン２７０の分岐部２７２に向かう。分岐部２７２で分岐された稀釈吸収溶液Ｌｉの一部は、分岐ライン２７４を介して合流部２７４で濃縮吸収溶液Ｌｉの流れる吸収溶液ライン１１０に入り、吸収器２０８に導入される。
【００７８】
分岐部２７６を通過した稀釈吸収溶液Ｌｉは蒸気ドレン熱交換器２２４、高温溶液熱交換器３０４等を通過して加熱され昇温し高温再生器２０２に向かう。
冷媒溶液を含んだ吸収溶液Ｌｉは、高温再生器２０２で加熱用蒸気ライン２１４による蒸気Ｓｔにより加熱され、冷媒溶液を蒸気として分離される。濃縮された濃縮吸収溶液Ｌｉは、吸収溶液ライン１１０を介して、高温溶液熱交換器３０４、中温溶液熱交換器３０２、低温溶液熱交換器３００で放熱し、吸収器２０８に導入される。
上記で省略した作用細部を含む作用全般は、すべて図５の吸収冷温水機ＲＳ５と同じである。
【００７９】
このようにして、低温再生器２０６、中温再生器２０４で加熱され濃縮された稀釈吸収溶液の一部を濃縮吸収溶液ライン１１０に導入して、系全体としての熱効率を向上させる。
【００８０】
図５は、第５の実施形態であるパラレルフロータイプの吸収冷温水機ＰＦ９の構成を示している。
吸収器２０８と高温再生器２０２とは、ポンプ１０２を介した吸収溶液ライン２８２で連通され、高温再生器２０２と中温再生器２０４とは、連続する吸収溶液ライン１０４、３１２、３１８で連通され、さらに第１の冷媒蒸気ライン２１６で連通されている。
【００８１】
第１の冷媒蒸気ライン２１６は、ライン内を通過する冷媒蒸気が保有する熱量が、中温再生器２０４内の吸収溶液に投入されて冷媒蒸気が再生されるよう構成されている。
【００８２】
中温再生器２０４と低温再生器２０６とは、連続する吸収溶液ライン３１８、３１４、３２２とで連通され、さらに並列に第２の冷媒蒸気ライン２１６Ａと第３の冷媒蒸気ライン２１８とで連通されている。
【００８３】
第３の冷媒蒸気ライン２１８は、ライン内を通過する冷媒蒸気が保有する熱量が、低温再生器２０６内の吸収溶液に投入されて冷媒蒸気が再生されるよう構成されている。
【００８４】
低温再生器２０６と吸収器２０８は、吸収溶液ライン１０８で連通されている。
吸収溶液ライン１０４に高温溶液熱交換器３０４が介装され、吸収溶液ライン３１４に中温溶液熱交換器３０２が介装され、吸収溶液ライン３１６に低温溶液熱交換器３００が介装されている。
【００８５】
高温溶液熱交換器３０４、中温溶液熱交換器３０２及び低温溶液熱交換器３００は、いづれも吸収溶液ライン２８２と熱的に接触し、吸収溶液ライン２８２に伝熱させるよう構成されている。
【００８６】  高温再生器２０２に、外部熱源に通じる加熱用蒸気ライン２１４が連通され、加熱用蒸気ライン２１４は高温再生器２０２を加熱経由してライン２１４Ａとなって次記する各蒸気ドレン熱交換器に接続されて蒸気供給源戻るように連通されている。
【００８７】
蒸気ドレン熱交換器２２０は、吸収溶液ライン２８２の高温溶液熱交換器３０４と高温再生器２０２との間の領域２５２に、ライン２１４Ａと熱的に接触して介装されている。
【００８８】
蒸気ドレン熱交換器２２２は、吸収溶液ライン２８２の高温溶液熱交換器３０４を分岐部２６４Ｂと合流部２４６Ｇでバイパスする領域２５０に、ライン２１４Ａと熱的に接触して介装されている。
【００８９】
蒸気ドレン熱交換器２２３Ａは、吸収溶液ライン２８２の高温溶液熱交換器３０４と分岐部３１１との間の領域２８６に、ライン２１４Ａと熱的に接触して介装されている。
【００９０】
蒸気ドレン熱交換器２２４は、吸収溶液ライン２８２の分岐部３１１と中温溶液熱交換器３０２との間の領域２４６Ｂに、ライン２１４Ａと熱的に接触して介装されている。
【００９１】
蒸気ドレン熱交換器２２６は、吸収溶液ライン２８２の中温溶液熱交換器３０２を分岐部２４０Ｂと合流部２４２Ｇでバイパスする領域２４４に、ライン２１４Ａと熱的に接触して介装されている。
【００９２】
蒸気ドレン熱交換器２２７は、吸収溶液ライン２８２の分岐部３０８と分岐部２４０Ｂとの間の領域２８４に、ライン２１４Ａと熱的に接触して介装されている。
【００９３】
蒸気ドレン熱交換器２２８は、吸収溶液ライン２８２の分岐部３０８と合流部２８３Ｇとの間の領域２３８Ｈに、ライン２１４Ａと熱的に接触して介装されている。
【００９４】
蒸気ドレン熱交換器２３０は、吸収溶液ライン２８２の低温溶液熱交換器３００を分岐部２８２Ｂと合流部２８３Ｇでバイパスする領域２３８に、ライン２１４Ａと熱的に接触して介装されている。
【００９５】
蒸気ドレン熱交換器２３２は、吸収溶液ライン２８２の低温溶液熱交換器３００と吸収器２０８との間の領域２３５に、ライン２１４Ａと熱的に接触して介装されている。
【００９６】
上記各蒸気ドレン熱交換器２２０、２２２、２２３Ａ、２２４、２２６、２２７、２２８、２３０、２３２は、これらを経由するドレンの温度が、熱的に対となる吸収溶液ライン２３４の温度より高温であることが必要条件である。したがって、吸収冷温水機ＰＦ９の温度状況、空調負荷、加熱蒸気の温度、外気条件等によって、各蒸気ドレン熱交換器２２０、２２２、２２３Ａ、２２４、２２６、２２７、２２８、２３０、２３２の何れか１つあるいは全数を含む何れか複数が介装されている。
【００９７】
上記吸収冷温水機ＰＦ９の作用を、各蒸気ドレン熱交換器２２０、２２２、２２３Ａ、２２４、２２６、２２７、２２８、２３０、２３２の全てが介装されている例について説明する。
吸収器２０８からポンプ１０２で吸収溶液ライン２８２に吐出された冷媒を含む低温の稀釈吸収溶液Ｌｉは、蒸気ドレン熱交換器２３２で加熱され昇温し、分岐部２８２Ｂで分岐して一方は領域２８３を通過して蒸気ドレン熱交換器２３０で加熱され昇温し、分岐部２８２Ｂで直行の他方の稀釈吸収溶液Ｌｉは低温溶液熱交換器３００を通過して加熱され昇温し、合流部２８３Ｇで合流する。
【００９８】
なお、分岐部２８２Ｂでの稀釈吸収溶液Ｌｉの分岐割合は、低温溶液熱交換器３００からの受熱と、蒸気ドレン熱交換器２３０からの受熱の合計熱量が最大となって合流部２８３Ｇでの稀釈吸収溶液Ｌｉ温度が最大になるように配分される。
【００９９】
合流部２８３Ｇを通過した稀釈吸収溶液Ｌｉは、蒸気ドレン熱交換器２２８を通過して加熱され昇温し、分岐部３０８で、一方は吸収溶液ライン３０６を介して低温再生器２０６に向かう。他方の吸収溶液ライン２８２を直行して蒸気ドレン熱交換器２２７で加熱され昇温して分岐部２４０Ｂに向かう。
【０１００】
分岐部２４０Ｂで分岐した稀釈吸収溶液Ｌｉの一方は領域２４４を通過して蒸気ドレン熱交換器２２６で加熱され昇温し、分岐部２４０Ｂで直行の他方の稀釈吸収溶液Ｌｉは中温溶液熱交換器３０２を通過して加熱され昇温し、合流部２４２Ｇで合流する。
【０１０１】
なお、分岐部２４０Ｂでの吸収溶液Ｌｉの分岐割合は、前記の分岐部２８２Ｂでの分岐要領と同じである。
【０１０２】
合流部２４２Ｇを通過した稀釈吸収溶液Ｌｉは、蒸気ドレン熱交換器２２４を通過して加熱され昇温し、分岐部３１１で分岐して一方は中温再生器２０４に、他方は高温再生器２０２に向かう。
【０１０３】
分岐部３１１で分岐された稀釈吸収溶液Ｌｉは、中温再生器２０４で第１の冷媒蒸気ライン２１６の加熱で濃縮される。
高温再生器２０２に向かった稀釈吸収溶液Ｌｉは蒸気ドレン熱交換器２２３Ａで加熱され昇温し、分岐部２４６Ｂに向かう。
【０１０４】
分岐部２４６Ｂで分岐した稀釈吸収溶液Ｌｉの一方は領域２５０を通過して蒸気ドレン熱交換器２２２で加熱され昇温し、分岐部２４６Ｂで直行の他方の稀釈吸収溶液Ｌｉは高温溶液熱交換器３０４を通過して加熱され昇温し、合流部２４６Ｇで合流する。
【０１０５】
なお、分岐部２４６Ｂでの吸収溶液Ｌｉの分岐割合は、前記の分岐部２８２Ｂ及び分岐部２４０Ｂでの分岐要領と同じである。
合流部２４６Ｇを通過した吸収溶液Ｌｉは、蒸気ドレン熱交換器２２０を通過して加熱され昇温し、高温再生器２０２に導入される。
【０１０６】
冷媒溶液を含んだ稀釈吸収溶液Ｌｉは、高温再生器２０２で加熱用蒸気ライン２１４による蒸気Ｓｔにより加熱され、冷媒溶液を蒸気として分離され濃縮された濃縮吸収溶液Ｌｉは、吸収溶液ライン１０４によって高温溶液熱交換器３０４で放熱して吸収溶液ライン３１２の合流部３２０に向かう。
【０１０７】
合流部３２０に導かれた吸収溶液は、合流部３２０で、吸収溶液ライン３１８を介した吸収溶液と合流し、吸収溶液ライン３１４によって中温溶液熱交換器３０２で放熱して合流部３２４に向かう。
【０１０８】
合流部３２４に導かれた吸収溶液は、低温再生器２０６で濃縮された吸収溶液と合流して、低温溶液熱交換器３００で放熱して吸収器２０８に向かう。
冷媒の移動については、高温再生器２０２で稀釈吸収溶液Ｌｉから蒸発分離され、高熱量をもった蒸気として第１の冷媒蒸気ライン２１６を介して中温再生器２０４で吸収溶液を加熱させる。また、中温再生器２０４で蒸発分離された冷媒蒸気も、第２の冷媒蒸気ライン２１８を介して低温再生器２０６で熱量を放出する。
【０１０９】
低温再生器２０２で蒸発分離された冷媒蒸気は、中温再生器２０４からの蒸気とともに凝縮器２１０で凝縮され、蒸発器２１２で蒸発して外部流体と熱交換する。また、吸収器２０８で冷媒が外部流体と熱交換する。
【０１１０】
このようにして、加熱用蒸気ライン２１４を介した蒸気の熱量を余すところなく利用して吸収冷温水機ＰＦ９の熱効率を向上させる。
【０１１１】
図６は、第６の実施形態である別のパラレルフロータイプ吸収冷温水機ＰＦ１４の構成を示している。図５の実施形態と異なる部分を主体に説明する。
高温再生器２０２に、外部熱源に通じる加熱用蒸気ライン２１４が連通され、加熱用蒸気ライン２１４は高温再生器２０２を加熱経由してライン２１４Ａとなって次記する蒸気ドレン熱交換器に接続されて蒸気供給源に連通されている。
【０１１２】
蒸気ドレン熱交換器２２７Ｃは、吸収溶液ライン２８２の高温溶液熱交換器３０４と中温溶液熱交換器３０２と低温溶液熱交換器３００と分岐部３０８と分岐部３１１を、分岐部２８２Ｂと合流部２８７Ｇでバイパスする領域２５１Ｓに、ライン２１４Ａと熱的に接触して介装されている。
【０１１３】
蒸気ドレン熱交換器２２７Ｃの前後に装着されている蒸気ドレン熱交換器２３２と２２０への蒸気ドレン熱交換器２２７Ｃの連通関係は、前記図５の実施形態と同じである。即ち、図５における蒸気ドレン熱交換器２２２、２２３Ａ、２２４、２２６、２２７、２２８、２３０に代えて、蒸気ドレン熱交換器２２７Ｃを介装した状態である。
上記を除いては、前記図５の構成と同じである。
【０１１４】
上記吸収冷温水機ＰＦ１４の作用を、蒸気ドレン熱交換器２２７Ｃが介装されている周辺を主体にして説明する。
吸収器２０８からポンプ１０２で吸収溶液ライン２８２に吐出された冷媒を含む低温の稀釈吸収溶液Ｌｉは、蒸気ドレン熱交換器２３２で加熱され昇温し、分岐部２８２Ｂで分岐して、一方は蒸気ドレン熱交換器２２７Ｃで加熱され昇温して合流部２８７Ｇに向かう。
【０１１５】
分岐部２８２Ｂで直行の他方の稀釈吸収溶液Ｌｉは、低温溶液熱交換器３００を通過して加熱され昇温し、分岐部３０８で、一方は低温再生器２０６に向かい他方は直行して高温再生器２０２に向かう。
【０１１６】
高温再生器２０２に向かった稀釈吸収溶液Ｌｉは、中温溶液熱交換器３０２で加熱され昇温し分岐部３１１で一方は中温再生器２０４に向かい、他方は直行して高温再生器３０４で加熱され昇温し合流部２８７Ｇで蒸気ドレン熱交換器２２７Ｃを経由した稀釈吸収溶液Ｌｉと合流して高温再生器２０２に向かう。
【０１１７】
合流部２８７Ｇから高温再生器２０２に向かった吸収溶液Ｌｉは、蒸気ドレン熱交換器２２０で加熱され昇温し高温再生器２０２に導入される。
高温再生器２０２、中温再生器２０４、低温再生器２０６等を経由する濃縮吸収溶液及び冷媒蒸気の作動は、図５と同じである。
【０１１８】
上記のようにして、吸収冷温水機の配熱特性に応じて、蒸気ドレン熱交換器の個数を少数にして、かつ熱効率を向上させる。
【０１１９】
図７は、第７の実施形態であるシリーズパラレルフロータイプ吸収冷温水機ＳＰ１５の構成を示している。
吸収器２０８と高温再生器２０２は、ポンプ１０２を介した稀釈吸収溶液ライン２８２で連通され、高温再生器２０２と中温再生器２０４とは吸収溶液ライン１０４と、第１の冷媒蒸気ライン２１６で連通されている。
【０１２０】
第１の冷媒蒸気ライン２１６は、ライン内を通過する冷媒蒸気が保有する熱量が、中温再生器２０４内の吸収溶液に投入されて冷媒蒸気が再生されるよう構成されている。
【０１２１】
中温再生器２０４と低温再生器２０６とは連続する吸収溶液ライン３１８、３０６と、並列な第１の冷媒蒸気ライン２１６と第２の冷媒蒸気ライン２１８とで連通されている。
【０１２２】
第２の冷媒蒸気ライン２１８は、ライン内を通過する冷媒蒸気が保有する熱量が、低温再生器２０６内の吸収溶液に投入されて冷媒蒸気が再生されるよう構成されている。
低温再生器２０６と吸収器２０８は、吸収溶液ライン３２２で連通されている。
【０１２３】
吸収溶液ライン３４０に高温溶液熱交換器３０４が介装され、吸収溶液ライン３１８に中温溶液熱交換器３０２が介装され、吸収溶液ライン３２２に低温溶液熱交換器３００が介装されている。
【０１２４】
高温溶液熱交換器３０４、中温溶液熱交換器３０２及び低温溶液熱交換器３００は、いづれも吸収溶液ライン２８２と熱的に接触し、吸収溶液ライン２８２に伝熱させるよう構成されている。
【０１２５】
高温再生器２０２に、外部熱源に通じる加熱用蒸気ライン２１４が連通され、加熱用蒸気ライン２１４は高温再生器２０２を加熱経由してライン２１４Ａとなって次記する各蒸気ドレン熱交換器に接続されて蒸気供給源に戻るよう連通されている。
【０１２６】
蒸気ドレン熱交換器２２０は、吸収溶液ライン２８２の高温溶液熱交換器３０４と高温再生器２０２との間の領域２５２に、ライン２１４Ａと熱的に接触して介装されている。
【０１２７】
蒸気ドレン熱交換器２２２は、吸収溶液ライン２８２の高温溶液熱交換器３０４を分岐部２６４と合流部２４６Ｇでバイパスする領域２５０に、ライン２１４Ａと熱的に接触して介装されている。
【０１２８】
蒸気ドレン熱交換器２２３Ａは、吸収溶液ライン２８２の分岐部２４６Ｂと分岐部３１１との間の領域２８６に、ライン２１４Ａと熱的に接触して介装されている。
【０１２９】
蒸気ドレン熱交換器２２４は、吸収溶液ライン２８２の分岐部３１１と合流部２４２Ｇとの間の領域２４６Ｂに、ライン２１４Ａと熱的に接触して介装されている。
【０１３０】
蒸気ドレン熱交換器２２６は、吸収溶液ライン２８２の中温溶液熱交換器３０２を分岐部２４０Ｂと合流部２４２Ｇでバイパスする領域２４４に、ライン２１４Ａと熱的に接触して介装されている。
【０１３１】
蒸気ドレン熱交換器２２７は、吸収溶液ライン２８２の分岐部３０８と分岐部２４０Ｂとの間の領域２４３Ｐにライン２１４Ａと熱的に接触して介装されている。
【０１３２】
蒸気ドレン熱交換器２２８は、吸収溶液ライン２８２の合流部２８３Ｇと分岐部３０８との間の領域２８３Ｈに、ライン２１４Ａと熱的に接触して介装されている。
【０１３３】
蒸気ドレン熱交換器２３０は、吸収溶液ライン２８２の低温溶液熱交換器３００を分岐部２８２Ｂと合流部２８３Ｇでバイパスする領域２８３に、ライン２１４Ａと熱的に接触して介装されている。
【０１３４】
蒸気ドレン熱交換器２３２は、吸収溶液ライン２８２の吸収器２０８と分岐部２８２Ｂとの間の領域２３５に、ライン２１４Ａと熱的に接触して介装されている。
【０１３５】
上記各蒸気ドレン熱交換器２２０、２２２、２２３Ａ、２２４、２２６、２２７、２２８、２３０、２３２は、これらを経由するドレンの温度が、熱的に対となる吸収溶液ライン２３４の温度より高温であることが必要条件である。したがって、吸収冷温水機ＳＰ１５の温度状況、空調負荷、加熱蒸気の温度、外気条件等によって、各蒸気ドレン熱交換器２２０、２２２、２２３Ａ、２２４、２２６、２２７、２２８、２３０、２３２の何れか１つあるいは全数を含む何れか複数が介装されている。
【０１３６】
上記吸収冷温水機ＳＰ１５の作用を、各蒸気ドレン熱交換器２２０、２２２、２２３Ａ、２２４、２２６、２２７、２２８、２３０、２３２の全てが介装されている例について説明する。
吸収器２０８からポンプ１０２で吸収溶液ライン２８２に吐出された冷媒を含む低温の稀釈吸収溶液Ｌｉは、蒸気ドレン熱交換器２３２で加熱され昇温し、分岐部２８２Ｂで分岐して一方は領域２８３を通過して蒸気ドレン熱交換器２３０で加熱され昇温し、分岐部２８２Ｂで直行の他方の稀釈吸収溶液Ｌｉは低温溶液熱交換器３００を通過して加熱され昇温し、合流部２８３Ｇで合流する。
【０１３７】
なお、分岐部２８２Ｂでの吸収溶液Ｌｉの分岐割合は、低温溶液熱交換器３００からの受熱と、蒸気ドレン熱交換器２３０からの受熱の合計熱量が最大となって合流部２８３Ｇでの吸収溶液Ｌｉ温度が最大になるように配分される。
【０１３８】
合流部２８３Ｇを通過した稀釈吸収溶液Ｌｉは、蒸気ドレン熱交換器２２８を通過して加熱され昇温し、分岐部３０８で、一方は吸収溶液ライン３０６を介して低温再生器２０６に向かう。他方は吸収溶液ライン２８２を直行して蒸気ドレン熱交換器２２７で加熱され昇温して分岐部２４０Ｂに向かう。
【０１３９】
分岐部２４０Ｂで分岐した稀釈吸収溶液Ｌｉの一方は領域２４４を通過して蒸気ドレン熱交換器２２６で加熱され昇温し、分岐部２４０Ｂで直行の他方の稀釈吸収溶液Ｌｉは中温溶液熱交換器３０２を通過して加熱され昇温し、合流部２４２Ｇで合流する。
【０１４０】
なお、分岐部２４０Ｂでの吸収溶液Ｌｉの分岐割合は、前記の分岐部２８２Ｂでの分岐要領と同じである。
合流部２４２Ｇを通過した稀釈吸収溶液Ｌｉは、蒸気ドレン熱交換器２２４を通過して加熱され昇温し、分岐部３１１で分岐して一方は中温再生器２０４に、他方は高温再生器２０２に向かう。
【０１４１】
分岐部３１１で分岐され吸収溶液ライン３１０に向かったた稀釈吸収溶液Ｌｉは、中温再生器２０４で第１の冷媒蒸気ライン２１６の加熱で濃縮される。
高温再生器２０２に向かった稀釈吸収溶液Ｌｉは、蒸気ドレン熱交換器２２３Ａで加熱され昇温し、分岐部２４６Ｂに向かう。
【０１４２】
分岐部２４６Ｂで分岐した稀釈吸収溶液Ｌｉの一方は領域２５０を通過して蒸気ドレン熱交換器２２２で加熱され昇温し、分岐部２４６Ｂで直行の他方の稀釈吸収溶液Ｌｉは高温溶液熱交換器３０４を通過して加熱され昇温し、合流部２４６Ｇで合流する。
【０１４３】
なお、分岐部２４６Ｂでの吸収溶液Ｌｉの分岐割合は、前記の分岐部２８２Ｂ及び分岐部２４０Ｂでの分岐要領と同じである。
【０１４４】
合流部２４６Ｇを通過した吸収溶液Ｌｉは、蒸気ドレン熱交換器２２０を通過して加熱され昇温し、高温再生器２０２に導入される。
【０１４５】
冷媒溶液を含んだ稀釈吸収溶液Ｌｉは、高温再生器２０２で加熱用蒸気ライン２１４による蒸気Ｓｔにより加熱され、冷媒溶液を蒸気として分離され濃縮された濃縮吸収溶液Ｌｉは、吸収溶液ライン３４０によって高温溶液熱交換器３０４で放熱して中温再生器２０４に向かう。
【０１４６】
中温再生器２０４で冷媒溶液を蒸気として分離され濃縮された濃縮吸収溶液Ｌｉは、吸収溶液ライン３１８によって中温溶液熱交換器３０２で放熱して吸収溶液ライン３０６に合流して低温再生器２０６に向かう。
低温再生器２０６で濃縮された吸収溶液は、低温溶液熱交換器３００で放熱して吸収器２０８に向かう。
【０１４７】
冷媒の移動については、高温再生器２０２で稀釈吸収溶液Ｌｉから蒸発分離され、高熱量をもった蒸気として第１の冷媒蒸気ライン２１６を介して中温再生器２０４で吸収溶液を加熱させる。また、中温再生器２０４で蒸発分離された冷媒蒸気も、第２の冷媒蒸気ライン２１８を介して低温再生器２０６で熱量を放出する。
【０１４８】
低温再生器２０２で蒸発分離された冷媒蒸気は、中温再生器２０４からの蒸気とともに凝縮器２１０で凝縮され、蒸発器２１２で蒸発して外部流体と熱交換する。また、吸収器２０８で冷媒が外部流体と熱交換する。
【０１４９】
このようにして、加熱用蒸気ライン２１４を介した蒸気の熱量を余すところなく利用して吸収冷温水機ＳＰ１５の熱効率を向上させる。
【０１５０】
図８は、第８の実施形態である別のシリーズパラレルフロータイプ吸収冷温水機ＳＰ２０の構成を示している。図７の実施形態と異なる部分を主体に説明する。
高温再生器２０２に、外部熱源に通じる加熱用蒸気ライン２１４が連通され、加熱用蒸気ライン２１４は高温再生器２０２を加熱経由してライン２１４Ａとなって次記する蒸気ドレン熱交換器に接続されて蒸気供給源に連通されている。
【０１５１】
蒸気ドレン熱交換器２２７Ｃは、吸収溶液ライン２８２の高温溶液熱交換器３０４と中温溶液熱交換器３０２と低温溶液熱交換器３００と分岐部３０８と分岐部３１１を、分岐部２８２Ｂと合流部２８７Ｇでバイパスする領域２５１Ｓに、ライン２１４Ａと熱的に接触して介装されている。
【０１５２】
蒸気ドレン熱交換器２２７Ｃの前後に装着されている蒸気ドレン熱交換器２３２と２２０への蒸気ドレン熱交換器２２７Ｃの連通関係は、前記図７の実施形態と同じである。即ち、図７における蒸気ドレン熱交換器２２２、２２３Ａ、２２４、２２６、２２７、２２８、２３０に代えて、蒸気ドレン熱交換器２２７Ｃを介装した状態である。
上記を除いては、前記図７の構成と同じである。
【０１５３】
上記吸収冷温水機ＳＰ２０の作用を、蒸気ドレン熱交換器２２７Ｃが介装されている周辺を主体にして説明する。
吸収器２０８からポンプ１０２で吸収溶液ライン２８２に吐出された冷媒を含む低温の稀釈吸収溶液Ｌｉは、蒸気ドレン熱交換器２３２で加熱され昇温し、分岐部２８２Ｂで分岐して、一方は蒸気ドレン熱交換器２２７Ｃで加熱され昇温して合流部２８７Ｇに向かう。
【０１５４】
分岐部２８２Ｂで直行の他方の稀釈吸収溶液Ｌｉは、低温溶液熱交換器３００を通過して加熱され昇温し、分岐部３０８で、一方は低温再生器２０６に向かい他方は直行して高温再生器２０２に向かう。
【０１５５】
高温再生器２０２に向かった稀釈吸収溶液Ｌｉは、中温溶液熱交換器３０２で加熱され昇温し、分岐部３１１で分岐して一方は中温再生器２０４に向かい、他方は直行して高温再生器３０４で加熱され昇温し、合流部２８７Ｇで蒸気ドレン熱交換器２２７Ｃを経由した稀釈吸収溶液Ｌｉと合流して高温再生器２０２に向かう。
【０１５６】
合流部２８７Ｇから高温再生器２０２に向かった吸収溶液Ｌｉは、蒸気ドレン熱交換器２２０で加熱され昇温し高温再生器２０２に導入される。
高温再生器２０２、中温再生器２０４、低温再生器２０６等を経由する濃縮吸収溶液及び冷媒蒸気の作動は、図７と同じである。
【０１５７】
上記のようにして、吸収冷温水機の配熱特性に応じて、蒸気ドレン熱交換器の個数を少数にして、かつ熱効率を向上させる。
【０１５８】
なお、図示８種の実施形態はあくまで例示であり、本発明の技術的範囲を限定する趣旨の記述ではない。
例えば、図示では各種のフロータイプ（例えば、シリーズフロー、パラレルフロー、リバースフロー、シリーズ・パラレルフロー、リバース・パラレルフロー）の代表的なもののみを示しているが、図示しないフローパターンにも本発明の利用が可能である。
また、冷媒ドレン熱交換器を配置し、下胴を複数段にし、溶液冷却吸収器を設けた実施形態も多数考えられる。
【０１５９】
【発明の効果】
本発明の作用効果を、以下に列記する。
（１）  本発明によれば、高温再生器で使用した加熱蒸気を複数の蒸気ドレン熱交換器で使用して稀釈吸収溶液を加熱させているので、熱の回収が大きい。
（２）  再生器で蒸発し発生した冷媒蒸気を低温再生器および低温の稀釈吸収溶液加熱に使用するので熱の回収がさらに大きくなる。
（３）  冷媒ドレンを冷媒ドレン熱交換器に通し、稀釈吸収冷媒を加熱させるので熱の回収が大きくなる。
（４）  さらに、蒸発器と吸収器の下胴部分を複数段に分割すれば、機能が向上し熱効率がよくなる。
（５）  吸収器に溶液冷却吸収器を設ければ、再生器からの滴下吸収溶液の熱量を回収できる。
【図面の簡単な説明】
【図１】  本発明の第１の実施形態のシリーズフロータイプ吸収冷温水機を示す構成図。
【図２】  本発明の第２の実施形態の別のシリーズフロータイプ吸収冷温水機を示す構成図。
【図３】  本発明の第３の実施形態のリバースフロータイプ吸収冷温水機を示す構成図。
【図４】  本発明の第４の実施形態のリバースパラレルフロータイプ吸収冷温水機を示す構成図。
【図５】  本発明の第５の実施形態のパラレルフロータイプ吸収冷温水機を示す構成図。
【図６】  本発明の第６の実施形態の別のパラレルフロータイプ吸収冷温水機を示す構成図。
【図７】  本発明の第７の実施形態のシリーズパラレルフロータイプ吸収冷温水機を示す構成図。
【図８】  本発明の第８の実施形態の別のシリーズパラレルフロータイプ吸収冷温水機を示す構成図。
【図９】  従来のシリーズフロータイプ吸収冷温水機を示す構成図。
【符号の説明】
２０２・・・高温再生器
２０４・・・中温再生器
２０６・・・低温再生器
２０８・・・吸収器
２１０・・・凝縮器
２１２・・・蒸発器
２１４、２１４Ａ・・加熱用蒸気ライン
２２０、２２２、２２４、２２６、２２８、２３０、２３２・・蒸気ドレン熱交換器
２３４、２３８、２４０、２４４、２４６、２５０、２５２・・吸収溶液ライン
【図１】
0003791831.tif 000002
【図２】
0003791831.tif 000003
【図３】
0003791831.tif 000004
【図４】
0003791831.tif 000005
【図５】
0003791831.tif 000006
【図６】
0003791831.tif 000007
【図７】
0003791831.tif 000008
【図８】
0003791831.tif 000009
【図９】
0003791831.tif 000010